(57)【要約】      （修正有）【課題】ワイヤレスネットワークにおいて、動的アップリンクおよびダウンリンク送信時間間隔（ＴＴＩ）切替えを使用して通信する方法、及びユーザ機器を提供する。【解決手段】設定可能ＴＴＩをダウンリンク通信からアップリンク通信に切り替えることの通知を、ネットワークエンティティから受信する。設定可能ＴＴＩは、フレーム内でダウンリンク通信とアップリンク通信との間の設定可能ＴＴＩの動的切替えを可能にするフレーム構造中の複数のＴＴＩのうちの１つである。さらに、アップリンク通信は、通知に少なくとも部分的に基づいて、設定可能ＴＴＩの間にネットワークエンティティに送信される。【選択図】図６
2019071669.tif 000002
【特許請求の範囲】
【請求項１】
ワイヤレスネットワークにおいて動的アップリンクおよびダウンリンク送信時間間隔（ＴＴＩ）切替えを使用して通信するための方法であって、
設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信することと
を備える、方法。
【請求項２】
送信することは、前記設定可能ＴＴＩ中に制御データを前記ネットワークエンティティに送信することを備える、請求項１に記載の方法。
【請求項３】
前記制御データが、１つまたは複数の肯定応答または否定応答インジケータ、チャネル状態情報報告、またはスケジューリング要求を含む、請求項２に記載の方法。
【請求項４】
前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信することをさらに備える、請求項１に記載の方法。
【請求項５】
前記通知が、後続の設定可能ＴＴＩをダウンリンクバーストのためのダウンリンク通信に切り替える前に前記アップリンクバーストの長さを示すアップリンクリソース許可を含む、請求項４に記載の方法。
【請求項６】
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項１に記載の方法。
【請求項７】
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
をさらに備える、請求項１に記載の方法。
【請求項８】
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定することをさらに備え、ここにおいて、前記バースト長が、前記設定可能ＴＴＩに関係するアップリンクリソース許可において指定される、請求項１に記載の方法。
【請求項９】
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
をさらに備える、請求項１に記載の方法。
【請求項１０】
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
をさらに備える、請求項１に記載の方法。
【請求項１１】
前記通知を受信することは、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
を備える、請求項１に記載の方法。
【請求項１２】
前記設定可能ＴＴＩが前記１つまたは複数の基準信号を含まないことを検出することは、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を備える、請求項１１に記載の方法。
【請求項１３】
前記前の設定可能ＴＴＩがダウンリンク通信のために設定されると決定することは、前記前の設定可能ＴＴＩ中に受信された１つまたは複数の信号から物理レイヤチャネルを復号することをさらに含む、請求項１１に記載の方法。
【請求項１４】
ワイヤレスネットワークにおいて動的アップリンクおよびダウンリンク送信時間間隔（ＴＴＩ）切替えを使用して通信するためのユーザ機器であって、
トランシーバと、
前記ワイヤレスネットワークにおいて信号を通信するためにバスを介して前記トランシーバに通信可能に結合された少なくとも１つのプロセッサと、
前記バスを介して前記少なくとも１つのプロセッサおよび／または前記トランシーバに通信可能に結合されたメモリと
を備え、
ここにおいて、前記少なくとも１つのプロセッサおよび前記メモリは、
前記トランシーバを介して、設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記トランシーバを介して、前記通知に少なくとも部分的に基づいて、前記設定可能ＴＴＩの間にアップリンク通信を前記ネットワークエンティティに送信することと
を行うように動作可能である、ユーザ機器。
【請求項１５】
前記アップリンク通信が、前記設定可能ＴＴＩ中に前記ネットワークエンティティに送信された制御データに対応する、請求項１４に記載のユーザ機器。
【請求項１６】
前記制御データが、１つまたは複数の肯定応答または否定応答インジケータ、チャネル状態情報報告、またはスケジューリング要求を含む、請求項１５に記載のユーザ機器。
【請求項１７】
前記少なくとも１つのプロセッサおよび前記メモリが、前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信するようにさらに動作可能である、請求項１４に記載のユーザ機器。
【請求項１８】
前記通知が、後続の設定可能ＴＴＩをダウンリンクバーストのためのダウンリンク通信に切り替える前に前記アップリンクバーストの長さを示すアップリンクリソース許可を含む、請求項１７に記載のユーザ機器。
【請求項１９】
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項１４に記載のユーザ機器。
【請求項２０】
前記少なくとも１つのプロセッサおよび前記メモリが、
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
を行うようにさらに動作可能である、請求項１４に記載のユーザ機器。
【請求項２１】
前記少なくとも１つのプロセッサおよび前記メモリが、前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するようにさらに動作可能であり、ここにおいて、前記バースト長が、前記設定可能ＴＴＩに関係するアップリンクリソース許可において指定される、請求項１４に記載のユーザ機器。
【請求項２２】
前記少なくとも１つのプロセッサおよび前記メモリは、
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
を行うようにさらに動作可能である、請求項１４に記載のユーザ機器。
【請求項２３】
前記少なくとも１つのプロセッサおよび前記メモリが、
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
を行うようにさらに動作可能である、請求項１４に記載のユーザ機器。
【請求項２４】
前記少なくとも１つのプロセッサおよび前記メモリは、少なくとも部分的に、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
によって前記通知を受信するように動作可能である、請求項１４に記載のユーザ機器。
【請求項２５】
前記少なくとも１つのプロセッサおよび前記メモリは、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
によって、前記設定可能ＴＴＩが前記１つまたは複数の基準信号を含まないことを検出するように動作可能である、請求項２４に記載のユーザ機器。
【請求項２６】
前記少なくとも１つのプロセッサおよび前記メモリは、少なくとも部分的に、前記前の設定可能ＴＴＩ中に受信された１つまたは複数の信号から物理レイヤチャネルを復号することによって、前記前の設定可能ＴＴＩがダウンリンク通信のために設定されると決定するようにさらに動作可能である、請求項２４に記載のユーザ機器。
【請求項２７】
ワイヤレスネットワークにおいて動的アップリンクおよびダウンリンク送信時間間隔（ＴＴＩ）切替えを使用して通信するためのユーザ機器であって、
設定可能ＴＴＩをダウンリンク通信からアップリンク通信に切り替えることの通知をネットワークエンティティから受信するための手段と、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するための手段と
を備える、ユーザ機器。
【請求項２８】
送信するための前記手段が、前記設定可能ＴＴＩ中に前記アップリンク通信を制御データとして前記ネットワークエンティティに送信する、請求項２７に記載のユーザ機器。
【請求項２９】
ワイヤレスネットワークにおいて動的アップリンクおよびダウンリンク送信時間間隔（ＴＴＩ）切替えを使用して通信するためのコンピュータ実行可能コードを備える、コンピュータ可読記憶媒体であって、前記コードは、
設定可能ＴＴＩをダウンリンク通信からアップリンク通信に切り替えることの通知をネットワークエンティティから受信するためのコードと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するためのコードと
を備える、コンピュータ可読記憶媒体。
【請求項３０】
送信するための前記コードが、前記設定可能ＴＴＩ中に前記アップリンク通信を制御データとして前記ネットワークエンティティに送信する、請求項２９に記載のコンピュータ可読記憶媒体。
【発明の詳細な説明】
【技術分野】
【０００１】
優先権の主張
[0001]本特許出願は、それらの全体が参照により本明細書に明確に組み込まれる、２０１４年１０月２４日に出願された「BLIND UL/DL SYMBOL DETECTION IN DYNAMIC TDD SYSTEMS」と題する仮出願第６２／０６８，２７７号、２０１４年１１月３日に出願された「DYNAMIC UPLINK/DOWNLINK FRAME STRUCTURE FOR ENHANCED COMPONENT CARRIERS」と題する仮出願第６２／０７４，４６９号、および２０１５年９月２３日に出願された「DYNAMIC UPLINK/DOWNLINK FRAME STRUCTURE FOR ENHANCED COMPONENT CARRIERS」と題する米国特許出願第１４／８６２，９９７号の優先権を主張する。
【背景技術】
【０００２】
[0002]本明細書では、一般に通信システムに関し、より詳細には、ワイヤレス通信システムにおいてノード間で通信するために利用されるフレーム構造に関する態様について説明する。
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ：multiple-input multiple-output）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]たとえば、ＬＴＥネットワークにおけるレイテンシをさらに低下させるための改善が提案されている。レイテンシ要件が減少されると、ＬＴＥにおいて現在サポートされる、基礎をなすフレーム構造は、所望のレイテンシを効果的に達成することが不可能となり得る。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]一例によれば、ワイヤレスネットワークにおいて動的なアップリンクおよびダウンリンク送信時間間隔（ＴＴＩ：transmission time interval）の切替え（switching）を使用して通信するための方法が提供される。本方法は、設定可能（configurable）ＴＴＩをダウンリンク通信からアップリンク通信に切り替えることの通知をネットワークエンティティから受信することを含む。設定可能ＴＴＩは、フレーム内でダウンリンク通信とアップリンク通信との間の設定可能ＴＴＩの動的切替えを可能にするフレーム構造中の複数のＴＴＩのうちの１つである。本方法は、通知に少なくとも部分的に基づいて、設定可能ＴＴＩの間にアップリンク通信をネットワークエンティティに送信することをも含む。
【０００８】
[0008]他の態様では、ワイヤレスネットワークにおいて動的なアップリンクおよびダウンリンクＴＴＩの切替えを使用して通信するためのユーザ機器が提供される。本ユーザ機器は、トランシーバと、ワイヤレスネットワークにおいて信号を通信するためにバスを介してトランシーバに通信可能に結合された少なくとも１つのプロセッサと、バスを介して少なくとも１つのプロセッサおよび／またはトランシーバに通信可能に結合されたメモリとを含む。少なくとも１つのプロセッサおよびメモリは、トランシーバを介して、設定可能ＴＴＩをダウンリンク通信からアップリンク通信に切り替えることの通知をネットワークエンティティから受信するように動作可能である。設定可能ＴＴＩは、フレーム内でダウンリンク通信とアップリンク通信との間の設定可能ＴＴＩの動的切替えを可能にするフレーム構造中の複数のＴＴＩのうちの１つである。少なくとも１つのプロセッサおよびメモリは、トランシーバを介して、通知に少なくとも部分的に基づいて、設定可能ＴＴＩの間にアップリンク通信をネットワークエンティティに送信するようにさらに動作可能である。
【０００９】
[0009]別の例では、ワイヤレスネットワークにおいて動的なアップリンクおよびダウンリンクＴＴＩの切替えを使用して通信するためのユーザ機器が提供される。本ユーザ機器は、設定可能ＴＴＩをダウンリンク通信からアップリンク通信に切り替えることの通知をネットワークエンティティから受信するための手段を含む。設定可能ＴＴＩは、フレーム内でダウンリンク通信とアップリンク通信との間の設定可能ＴＴＩの動的切替えを可能にするフレーム構造中の複数のＴＴＩのうちの１つである。本ユーザ機器は、通知に少なくとも部分的に基づいて、設定可能ＴＴＩの間にアップリンク通信をネットワークエンティティに送信するための手段をさらに備える。
【００１０】
[0010]他の態様では、ワイヤレスネットワークにおいて動的なアップリンクおよびダウンリンクＴＴＩの切替えを使用して通信するためのコンピュータ実行可能コードを備えるコンピュータ可読記憶媒体が提供される。コードは、設定可能ＴＴＩをダウンリンク通信からアップリンク通信に切り替えることの通知をネットワークエンティティから受信するためのコードを含む。設定可能ＴＴＩは、フレーム内でダウンリンク通信とアップリンク通信との間の設定可能ＴＴＩの動的切替えを可能にするフレーム構造中の複数のＴＴＩのうちの１つである。コードは、通知に少なくとも部分的に基づいて、設定可能ＴＴＩの間にアップリンク通信をネットワークエンティティに送信するためのコードをさらに含む。
【００１１】
[0011]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１２】
【図１】[0012]本明細書で説明する態様による、電気通信システムの一例を概念的に示すブロック図。
【図２】[0013]アクセスネットワークの一例を示す図。
【図３】[0014]アクセスネットワーク中の発展型ノードＢおよびユーザ機器の一例を示す図。
【図４】[0015]ダウンリンク通信とアップリンク通信との間で設定可能送信時間間隔（ＴＴＩ）を動的に切り替えるための例示的なフレーム構造を示す図。
【図５】[0016]本明細書で説明する態様による、設定可能ＴＴＩがアップリンク通信とダウンリンク通信との間でいつ切り替えられるかを決定するための例示的なシステムを示す図。
【図６】[0017]ダウンリンク通信からアップリンク通信への設定可能ＴＴＩの切替えを検出することに基づいてアップリンク通信を送信する例示的な方法のフローチャート。
【図７】ダウンリンク通信からアップリンク通信への設定可能ＴＴＩの切替えを検出することに基づいてアップリンク通信を送信する例示的な方法のフローチャート。
【図８】[0018]設定可能ＴＴＩがダウンリンク通信のために設定されるのか、アップリンク通信のために設定されるのかを決定する例示的な方法のフローチャート。
【図９】[0019]設定可能ＴＴＩがダウンリンク通信のために設定されるのか、アップリンク通信のために設定されるのかを示す例示的な方法のフローチャート。
【図１０】[0020]動的ＴＤＤフレーム構造中のアップリンク通信またはダウンリンク通信のために設定されたＴＴＩを有する例示的な通信タイムラインを示す図。
【図１１】[0021]本明細書で説明する態様による、１つまたは複数の基準信号のための例示的なダウンリンクパイロットバーストパターンを示す図。
【発明を実施するための形態】
【００１３】
[0022]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントをブロック図の形式で示す。
【００１４】
[0023]次に、様々な装置および方法に関して電気通信システムのいくつかの態様を提示する。これらの装置および方法が、以下の発明を実施するための形態において説明され、（「要素」と総称される）様々なブロック、モジュール、コンポーネント、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１５】
[0024]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
[0025]したがって、１つまたは複数の態様では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００１７】
[0026]本明細書では、アップリンク（ＵＬ）通信とダウンリンク（ＤＬ）通信との間の動的切替えを可能にするフレーム構造に従ってワイヤレスネットワークにおいて通信することに関係する様々な態様について説明する。たとえば、フレーム構造は、アップリンク通信またはダウンリンク通信のために構成または使用され得る、複数の送信時間間隔（ＴＴＩ）（たとえば、時分割複信（ＴＤＤ）シンボル）を含むことができる。フレーム構造は、専用ダウンリンクまたはアップリンクＴＴＩである少なくともいくつかのＴＴＩをも含み得る。たとえば、専用ダウンリンクおよびアップリンクＴＴＩは、無線リソース管理（ＲＲＭ）測定、通信ノード間の同期、チャネル状態情報（ＣＳＩ）フィードバック、ランダムアクセスチャネル（ＲＡＣＨ）通信、スケジューリング要求（ＳＲ）などを可能にするために与えられ得る。残りの設定可能ＴＴＩでは、１つまたは複数の通信ノードが、アップリンク通信とダウンリンク通信との間で切り替える（switch）ことができ、その切替えを他のノードに通知することができる。これは、ノードが、１つまたは複数の通信ノードのパラメータに基づいて、改善された通信スループットを可能にするように（たとえば、所与のキャリアの）ダウンリンク／アップリンク構成を設定することを可能にする。
【００１８】
[0027]最初に図１を参照すると、図は、本明細書で説明する態様による、ワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、より低いレイテンシの通信のために構成された、フレーム構造、たとえば、限定はしないが、フレーム構造４００（図４）に基づいて、（たとえば、制御および／またはデータアップリンク通信のための）リソース許可（resource grants）をＵＥ１１５に通信するように構成されたスケジューリングコンポーネント３０２を含み得る。同様に、ＵＥ１１５のうちの１つまたは複数は、（たとえば、本明細書で説明するように、アクセスポイント１０５から受信されたリソース許可または他のインジケータに基づいて）フレーム構造を使用して、受信し、復号し、送信し、動作するように構成された通信コンポーネント３６１を含み得る。
【００１９】
[0028]アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク１３２を通じてコアネットワーク１３０と制御情報および／またはユーザデータを通信し得る。例では、アクセスポイント１０５は、ワイヤードまたはワイヤレス通信リンクであり得るバックホールリンク１３４を介して互いと直接または間接的にのいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２０】
[0029]この点について、ＵＥ１１５は、（たとえば、１つのアクセスポイント１０５を用いた）キャリアアグリゲーション（ＣＡ：carrier aggregation）および／または（たとえば、複数のアクセスポイント１０５を用いた）多重接続性を使用して、複数のキャリア上で１つまたは複数のアクセスポイント１０５と通信するように構成され得る。いずれの場合も、ＵＥ１１５は、ＵＥ１１５とアクセスポイント１０５との間のアップリンク通信およびダウンリンク通信をサポートするように構成された少なくとも１つのプライマリセル（ＰＣｅｌｌ）で構成され得る。ＵＥ１１５と所与のアクセスポイント１０５との間の各通信リンク１２５についてＰＣｅｌｌがあり得ることを諒解されたい。さらに、通信リンク１２５の各々は、同様に、アップリンク通信および／またはダウンリンク通信をサポートすることができる１つまたは複数のセカンダリセル（ＳＣｅｌｌ）を有することができる。いくつかの例では、ＰＣｅｌｌは少なくとも制御チャネルを通信するために使用され得、ＳＣｅｌｌはデータチャネルを通信するために使用され得る。一例では、ＰＣｅｌｌおよび／またはＳＣｅｌｌは、本明細書でさらに説明するように、（たとえば、図４中のフレーム構造４００またはより低いレイテンシのＴＴＩをもつ同様のフレーム構造を使用して）より低いレイテンシの通信を与える１つまたは複数の拡張コンポーネントキャリア（ｅＣＣ：enhanced component carriers）を構成することができる。
【００２１】
[0030]いくつかの例では、ワイヤレス通信システム１００の少なくとも一部分は、ＵＥ１１５のうちの１つまたは複数およびアクセスポイント１０５のうちの１つまたは複数が、別の階層レイヤに関して低減されたレイテンシを有する階層レイヤ上の送信をサポートするように構成され得る、複数の階層レイヤ上で動作するように構成され得る。いくつかの例では、ハイブリッドＵＥ１１５−ａは、第１のサブフレームタイプを用いた第１のレイヤ送信をサポートする第１の階層レイヤと、第２のサブフレームタイプを用いた第２のレイヤ送信をサポートする第２の階層レイヤの両方の上で、アクセスポイント１０５−ａと通信し得る。たとえば、アクセスポイント１０５−ａは、第１のサブフレームタイプのサブフレームと時分割複信された第２のサブフレームタイプのサブフレームを送信し得る。
【００２２】
[0031]いくつかの例では、ハイブリッドＵＥ１１５−ａは、たとえば、ＨＡＲＱ方式を通じて送信についての肯定応答（ＡＣＫ）／否定応答（ＮＡＣＫ）を与えることによって、送信の受信を確認応答し得る。第１の階層レイヤにおける送信についてのハイブリッドＵＥ１１５−ａからの確認応答は、いくつかの例では、送信が受信されたサブフレームに続くあらかじめ定義された数のサブフレームの後に与えられ得る。ハイブリッドＵＥ１１５−ａは、第２の階層レイヤにおいて動作するとき、例では、送信が受信されたサブフレームと同じサブフレーム中で受信を確認応答し得る。ＡＣＫ／ＮＡＣＫを送信し、再送信を受信するために必要とされる時間は、ラウンドトリップ時間（ＲＴＴ）と呼ばれることがあり、したがって、第２のサブフレームタイプのサブフレームは、第１のサブフレームタイプのサブフレームのためのＲＴＴよりも短い第２のＲＴＴを有し得る。
【００２３】
[0032]他の例では、第２のレイヤＵＥ１１５−ｂは、第２の階層レイヤのみの上でアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。アクセスポイント１０５−ｂおよびＵＥ１１５−ｂは、第２のサブフレームタイプのサブフレームの送信を通じて第２の階層レイヤ上で通信し得る。アクセスポイント１０５−ｂは、もっぱら第２のサブフレームタイプのサブフレームを送信し得るか、または第２のサブフレームタイプのサブフレームと時分割多重化された第１の階層レイヤ上で、第１のサブフレームタイプの１つまたは複数サブフレームを送信し得る。第２のレイヤＵＥ１１５−ｂは、アクセスポイント１０５−ｂが第１のサブフレームタイプのサブフレームを送信する場合、第１のサブフレームタイプのそのようなサブフレームを無視し得る。したがって、第２のレイヤＵＥ１１５−ｂは、送信が受信されたサブフレームと同じサブフレーム中で送信の受信を確認応答し得る。したがって、第２のレイヤＵＥ１１５−ｂは、第１の階層レイヤ上で動作するＵＥ１１５と比較して低減されたレイテンシで動作し得る。
【００２４】
[0033]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術（ＲＡＴ）など、異なる無線技術を利用し得る。アクセスポイント１０５は同じまたは異なるアクセスネットワークまたは事業者展開に関連し得る。同じまたは異なるタイプのアクセスポイント１０５のカバレージエリアを含み、同じまたは異なる無線技術を利用し、および／または同じまたは異なるアクセスネットワークに属する、異なるアクセスポイント１０５のカバレージエリアは重複し得る。
【００２５】
[0034]ＬＴＥ／ＬＴＥ−Ａネットワーク通信システムでは、発展型ノードＢ（ｅノードＢまたはｅＮＢ）という用語は、概して、アクセスポイント１０５を表すために使用され得る。ワイヤレス通信システム１００は、異なるタイプのアクセスポイントが様々な地理的領域にカバレージを与える、異種ＬＴＥ／ＬＴＥ−Ａネットワークであり得る。たとえば、各アクセスポイント１０５は、通信カバレージをマクロセル、ピコセル、フェムトセル、および／または他のタイプのセルに与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２６】
[0035]コアネットワーク１３０は、１つまたは複数のバックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通じて）直接または間接的に、互いと通信し得る。ワイヤレス通信システム１００は同期動作または非同期動作をサポートし得る。同期動作の場合、アクセスポイント１０５は同様のフレームタイミングを有し得、異なるアクセスポイント１０５からの送信は近似的に時間的にアライメントされ得る。非同期動作の場合、アクセスポイント１０５は異なるフレームタイミングを有し得、異なるアクセスポイント１０５からの送信は時間的にアライメントされないことがある。さらに、第１の階層レイヤおよび第２の階層レイヤにおける送信は、アクセスポイント１０５の間で同期されることもされないこともある。本明細書で説明する技法は、同期動作または非同期動作のいずれかのために使用され得る。
【００２７】
[0036]ＵＥ１１５はワイヤレス通信システム１００全体にわたって分散され、各ＵＥ１１５は固定式または移動式であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、またはＷＬＡＮアクセスネットワークなど、異なるアクセスネットワーク上で通信することが可能であり得る。
【００２８】
[0037]ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、たとえば、多入力多出力（ＭＩＭＯ）、キャリアアグリゲーション（ＣＡ）、多地点協調（ＣｏＭＰ：Coordinated Multi-Point）、多重接続性（たとえば、１つまたは複数のアクセスポイント１０５の各々をもつＣＡ）または他の方式を通じて、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のための同じまたは異なるサービングセル上の２つまたはそれ以上のコンポーネントキャリアを利用し得る。ＣｏＭＰは、ＵＥ１１５のための全体的な送信品質を改善するために、ならびにネットワークおよびスペクトル利用を増加させる、いくつかのアクセスポイント１０５による送信および受信の協調のための技法を含み得る。
【００２９】
[0038]上述のように、いくつかの例では、アクセスポイント１０５およびＵＥ１１５は、複数のキャリア上で送信するために、キャリアアグリゲーションを利用し得る。いくつかの例では、アクセスポイント１０５およびＵＥ１１５は、２つまたはそれ以上の別個のキャリアを使用して、第１のサブフレームタイプを各々が有する１つまたは複数のサブフレームを、フレーム内で第１の階層レイヤにおいてコンカレントに送信し得る。各キャリアは、たとえば、２０ＭＨｚの帯域幅を有し得るが、他の帯域幅が利用され得る。ハイブリッドＵＥ１１５−ａおよび／または第２のレイヤＵＥ１１５−ｂは、いくつかの例では、別個のキャリアのうちの１つまたは複数の帯域幅よりも大きい帯域幅を有する単一のキャリアを利用して、第２の階層レイヤにおいて１つまたは複数のサブフレームを受信および／または送信し得る。たとえば、４つの別個の２０ＭＨｚキャリアが第１の階層レイヤにおいてキャリアアグリゲーション方式で使用される場合、単一の８０ＭＨｚキャリアが、第２の階層レイヤにおいて使用され得る。８０ＭＨｚキャリアは、４つの２０ＭＨｚキャリアのうちの１つまたは複数によって使用される無線周波数スペクトルと少なくとも部分的に重複する、無線周波数スペクトルの一部分を占有し得る。いくつかの例では、第２の階層レイヤタイプのためのスケーラブル帯域幅は、さらに拡張されたデータレートを与えるために、上記で説明したようなより短いＲＴＴを与えるための組み合わせられた技法であり得る。
【００３０】
[0039]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００３１】
[0040]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にコアネットワーク１３０へのアクセスポイントを与えるように構成される。一態様では、ｅＮＢ２０４は、より低いレイテンシの通信のために構成された、フレーム構造、たとえば、限定はしないが、フレーム構造４００（図４）に基づいて、リソース許可をＵＥ２０６に通信するように構成されたスケジューリングコンポーネント３０２を含み得る。同様に、ＵＥ２０６のうちの１つまたは複数は、（たとえば、本明細書で説明するように、アクセスポイント１０５から受信されたリソース許可または他のインジケータに基づいて）フレーム構造を使用して、受信し、復号し、送信し、動作するように構成された通信コンポーネント３６１を含み得る。アクセスネットワーク２００のこの例において示されている集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイへの接続性を含む、すべての無線関係機能を担当する。
【００３２】
[0041]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され得、ＳＣ−ＦＤＭＡがＵＬ上で使用され得る。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００３３】
[0042]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通じて空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００３４】
[0043]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通じた送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３５】
[0044]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３６】
[0045]図３は、アクセスネットワーク中でＵＥ３５０と通信しているｅＮＢ３１０のブロック図である。ＤＬでは、コアネットワークからの上位レイヤパケットが、コントローラ／プロセッサ３７５に与えられる。コントローラ／プロセッサ３７５は、レイヤ２（Ｌ２）（たとえば、メディアアクセス制御（ＭＡＣ）レイヤ）の機能を実装する。ＤＬでは、コントローラ／プロセッサ３７５は、ヘッダ圧縮と、暗号化と、パケットのセグメンテーションおよび並べ替えと、論理チャネルとトランスポートチャネルとの間の多重化と、様々な優先度メトリックに基づくＵＥ３５０への無線リソース割振りとを行う。コントローラ／プロセッサ３７５はまた、ＨＡＲＱ動作と、紛失パケットの再送信と、ＵＥ３５０へのシグナリングとを担当する。
【００３７】
[0046]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられる。各送信機３１８ＴＸは、送信のためにそれぞれの空間ストリームでＲＦキャリアを変調する。さらに、ｅＮＢ３１０は、少なくとも１つのＣＣ上でのより低いレイテンシの通信のためのフレーム構造、たとえば、限定はしないが、フレーム構造４００（図４）を使用して、リソース許可をＵＥ３５０に通信するように構成されたスケジューリングコンポーネント３０２を含み得る。
【００３８】
[0047]ＵＥ３５０において、各受信機３５４ＲＸは、それのそれぞれのアンテナ３５２を通じて信号を受信する。各受信機３５４ＲＸは、ＲＦキャリア上で変調された情報を復元し、受信（ＲＸ）プロセッサ３５６に情報を与える。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を実行する。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、コントローラ／プロセッサ３５９に与えられる。
【００３９】
[0048]コントローラ／プロセッサ３５９はＬ２レイヤを実装する。コントローラ／プロセッサは、プログラムコードとデータとを記憶するメモリ３６０に関連し得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離と、パケットリアセンブリと、解読（deciphering）と、ヘッダ復元（decompression）と、制御信号処理とを行う。上位レイヤパケットは、次いで、Ｌ２レイヤの上のすべてのプロトコルレイヤを表すデータシンク３６２に与えられる。様々な制御信号はまた、レイヤ３（Ｌ３）（たとえば、無線リンク制御（ＲＬＣ）レイヤ）処理のためにデータシンク３６２に与えられ得る。コントローラ／プロセッサ３５９はまた、ＨＡＲＱ動作をサポートするために肯定応答（ＡＣＫ）および／または否定応答（ＮＡＣＫ）プロトコルを使用する誤り検出を担当する。さらに、ＵＥ３５０は、本明細書で説明するように、（たとえば、スケジューリングコンポーネント３０２によってフレーム構造に従って許可されるリソースまたはｅＮＢ３１０から受信された他のインジクタ（indictors）に基づいて）より低いレイテンシのためのフレーム構造を使用して、受信し、復号し、送信し、動作するように構成された通信コンポーネント３６１を含み得る。
【００４０】
[0049]ＵＬでは、データソース３６７が、コントローラ／プロセッサ３５９に上位レイヤパケットを与えるために使用される。データソース３６７は、Ｌ２レイヤの上のすべてのプロトコルレイヤを表す。ｅＮＢ３１０によるＤＬ送信に関して説明した機能と同様に、コントローラ／プロセッサ３５９は、ヘッダ圧縮と、暗号化と、パケットのセグメンテーションおよび並べ替えと、ｅＮＢ３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ３５９はまた、ＨＡＲＱ動作、紛失パケットの再送信、およびｅＮＢ３１０へのシグナリングを担当する。
【００４１】
[0050]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられる。各送信機３５４ＴＸは、送信のためにそれぞれの空間ストリームでＲＦキャリアを変調する。
【００４２】
[0051]ＵＬ送信は、ＵＥ３５０における受信機機能に関して説明した様式と同様の様式でｅＮＢ３１０において処理される。各受信機３１８ＲＸは、それのそれぞれのアンテナ３２０を介して信号を受信する。各受信機３１８ＲＸは、ＲＦキャリア上に変調された情報を復元し、ＲＸプロセッサ３７０に情報を与える。ＲＸプロセッサ３７０はＬ１レイヤを実装し得る。
【００４３】
[0052]コントローラ／プロセッサ３７５はＬ２レイヤを実装する。コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ３７５からの上位レイヤパケットはコアネットワークに与えられ得る。コントローラ／プロセッサ３７５はまた、ＨＡＲＱ動作をサポートするためにＡＣＫおよび／またはＮＡＣＫプロトコルを使用する誤り検出を担当する。
【００４４】
[0053]図４は、フレーム構造４００の非限定的な例を示す図である。フレーム構造４００は、ｘミリ秒（ｍｓ）に等しい時間（Ｔｍ）の複数のフレームを有するＴＤＤフレーム構造を示し、ここで、ｘは正の整数である。各フレームは、専用ダウンリンクＴＴＩ４０２、設定可能ダウンリンクもしくはアップリンクＴＴＩ４０４、または専用アップリンクＴＴＩ４０６であるように設定された、１つまたは複数のＴＴＩを含むことができる。一例では、ＴＴＩは、ＴＤＤシンボル（たとえば、ＯＦＤＭシンボル、ＳＣ−ＦＤＭシンボルなど）に対応し得る。たとえば、専用ダウンリンクＴＴＩ４０２および専用アップリンクＴＴＩ４０６を指定することは、専用ＴＴＩにわたる、無線リソース管理（ＲＲＭ）測定、ＵＥとｅＮＢとの間の同期、チャネル状態情報（ＣＳＩ）フィードバック送信、ランダムアクセスチャネル（ＲＡＣＨ）通信、ＳＲなどを可能にすることができる。一例では、専用ダウンリンクＴＴＩ４０２および専用アップリンクＴＴＩ４０６は、ネットワークノード間で（たとえば、ＵＥとｅＮＢとの間で）設定された、またはさもなければネットワークノードによって知られている無線リソース制御（ＲＲＣ）であり得る。
【００４５】
[0054]さらに、たとえば、アップリンク通信またはダウンリンク通信のために設定可能である残りのＴＴＩ４０４は、アップリンク通信とダウンリンク通信との間で動的に切り替えられ得る。これらのＴＴＩ４０４は、本明細書では「設定可能ＴＴＩ（configurable TTIs）」とも呼ばれ、ダウンリンクＴＴＩまたはアップリンクＴＴＩとして専用化されない実質的にどんなＴＴＩをも含み得る。ｅＮＢなどのサービングネットワークノードは、本明細書でさらに説明するように、アップリンク通信とダウンリンク通信との間でＴＴＩ４０４を切り替えることに関係する１つまたは複数のパラメータ（たとえば、切替えをその間に実行するためのＴＴＩなどの時間期間、切替えのための持続時間など）を決定することができ、サービングネットワークノードと通信するための、ＵＥなどの他のネットワークノードに１つまたは複数のパラメータを示すことができる。この点について、サービングネットワークノードから１つまたは複数のパラメータのリソース許可または他のインジケータを受信するネットワークノードは、所与のＴＴＩがサービングネットワークノードからの通信（ダウンリンク通信）を受信するために設定されるのか、サービングネットワークノードへの通信（アップリンク通信）を送信するために設定されるのかを決定することができる。一例では、この点について切替えを示すことは、複数の連続（設定可能）ＴＴＩが同じタイプの通信（ダウンリンクまたはアップリンク）のために設定されることを可能にし、したがって、バースト通信を可能にし得る。
【００４６】
[0055]したがって、一例では、本明細書で説明するように、ＴＴＩ４１０、４１２、４１４、および４１６はダウンリンク通信のために設定され得、アップリンク通信への切替えはＴＴＩ４１８および４２０について示され得る。同様に、ダウンリンク通信に戻る切替えは、ＴＴＩ４２０に続く設定可能ＴＴＩについて示され得る。この点について設定可能ＴＴＩを利用することは、所与のフレームの間のアップリンク通信またはダウンリンク通信を改善するためのより多くのアップリンクリソースまたはダウンリンクリソースを可能にするように、サービングネットワークノードにおける通信関係パラメータに基づき得る、そのフレーム中のアップリンクリソースとダウンリンクリソースとの間の分割（split）の動的決定を可能にすることができる。
【００４７】
[0056]特定の一例では、フレーム構造４００中の各ＴＴＩは、ＯＦＤＭシンボルまたはＳＣ−ＦＤＭシンボルによって定義され得、より低いレイテンシの通信を与えるようにＬＴＥの１ミリ秒サブフレームＴＴＩよりも短い長さのものであり得る。したがって、一例では、フレームは、複数のＴＴＩを含むサブフレーム、それぞれ複数のＴＴＩを含む複数のサブフレームを含むフレームなどに対応し得る。アップリンクＴＴＩとダウンリンクＴＴＩとの間の動的切替えは、いくつかのアップリンク／ダウンリンクレイテンシを達成することを可能にすることができる、アップリンク通信およびダウンリンク通信の所望の配信を扱うための適応可能なフレームを与え得る。
【００４８】
[0057]図５〜図９を参照すると、態様は、本明細書で説明するアクションまたは機能を実行し得る１つまたは複数のコンポーネントおよび１つまたは複数の方法に関して示される。一態様では、本明細書で使用する「コンポーネント」という用語は、システムを構成する部品のうちの１つであり得、ハードウェアまたはソフトウェアまたはそれらの何らかの組合せであり得、他のコンポーネントに分割され得る。図６〜図９において以下で説明する動作は、特定の順序でおよび／または例示的なコンポーネントによって実行されるものとして提示されるが、アクションの順序およびアクションを実行するコンポーネントは、実装形態に応じて変更され得ることを理解されたい。さらに、以下のアクションまたは機能は、特別にプログラムされたプロセッサ、特別にプログラムされたソフトウェアまたはコンピュータ可読媒体を実行するプロセッサによって、あるいは説明するアクションまたは機能を実行することが可能なハードウェアコンポーネントおよび／またはソフトウェアコンポーネントの任意の他の組合せによって実行され得ることを理解されたい。
【００４９】
[0058]図５に、ダウンリンク／アップリンクＴＴＩの動的切替えを可能にするフレーム構造に基づいて、ワイヤレスネットワークにおいてノード間で通信するための例示的なシステム５００を示す。システム５００は、ワイヤレスネットワークにアクセスするためにｅＮＢ５０４と通信するＵＥ５０２を含み、それの例については、上記で、図１〜図３において説明した。一態様では、ｅＮＢ５０４およびＵＥ５０２は、ダウンリンク信号５０９を介してそれの上で通信するための１つまたは複数のダウンリンクチャネルを確立していることがあり、ダウンリンク信号５０９は、設定された通信リソース上でｅＮＢ５０４からＵＥ５０２に（たとえば、シグナリングにおいて）制御および／またはデータメッセージを通信するために、（たとえば、トランシーバ５５６を介して）ｅＮＢ５０４によって送信され、（たとえば、トランシーバ５０６を介して）ＵＥ５０２によって受信され得る。さらに、たとえば、ｅＮＢ５０４およびＵＥ５０２は、アップリンク信号５０８を介してそれの上で通信するための１つまたは複数のアップリンクチャネルを確立していることがあり、アップリンク信号５０８は、設定された通信リソース上でＵＥ５０２からｅＮＢ５０４に（たとえば、シグナリングにおいて）制御および／またはデータメッセージを通信するために、（たとえば、トランシーバ５０６を介して）ＵＥ５０２によって送信され、（たとえば、トランシーバ５５６を介して）ｅＮＢ５０４によって受信され得る。本明細書でさらに説明するように、たとえば、ｅＮＢ５０４は、ＴＴＩ中のダウンリンク通信からアップリンク通信への（またはその逆も同様）切替えに関する１つまたは複数のパラメータを示すことができるリソース許可または他のインジケータ５８０を通信し得る。
【００５０】
[0059]一態様では、ＵＥ５０２は、たとえば、１つまたは複数のバス５０７を介して通信可能に結合され得る１つまたは複数のプロセッサ５０３および／またはメモリ５０５を含み得、アップリンク通信またはダウンリンク通信のために設定可能なＴＴＩを有するフレーム構造に従ってそれにアップリンク信号５０８を送信し、および／またはそこからダウンリンク信号５０９を受信するように、ｅＮＢ５０４と通信するための通信コンポーネント３６１とともに動作するか、またはさもなければ通信コンポーネント３６１を実装し得る。たとえば、通信コンポーネント３６１に関係する様々な動作は、１つまたは複数のプロセッサ５０３によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ５０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ５０６に関連するトランシーバプロセッサのうちのいずれか１つまたは任意の組合せを含み得る。さらに、たとえば、メモリ５０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ５０３によってアクセスされ、読み取られ得るソフトウェアおよび／またはコンピュータ可読コードまたは命令を記憶するための他の好適な媒体を含む非一時的コンピュータ可読媒体であり得る。さらに、メモリ５０５またはコンピュータ可読記憶媒体は、１つまたは複数のプロセッサ５０３中に存在する、１つまたは複数のプロセッサ５０３の外部にある、１つまたは複数のプロセッサ５０３を含む複数のエンティティにわたって分散される、などであり得る。
【００５１】
[0060]具体的には、１つまたは複数のプロセッサ５０３および／またはメモリ５０５は、通信コンポーネント３６１またはそれのサブコンポーネントによって定義されるアクションまたは動作を実行し得る。たとえば、１つまたは複数のプロセッサ５０３および／またはメモリ５０５は、アップリンク通信またはダウンリンク通信のために設定された１つまたは複数のＴＴＩを含むか、またはさもなければそれを暗黙的に示し得る、ｅＮＢ５０４からのリソース許可を取得するためのリソース許可受信コンポーネント５１０によって定義されるアクションまたは動作を実行し得る。一態様では、たとえば、リソース許可受信コンポーネント５１０は、ハードウェア（たとえば、１つまたは複数のプロセッサ５０３の１つまたは複数のプロセッサモジュール）、ならびに／あるいはメモリ５０５に記憶され、本明細書で説明する特別に設定されたリソース許可受信および／または処理動作を実行するために１つまたは複数のプロセッサ５０３のうちの少なくとも１つによって実行可能なコンピュータ可読コードまたは命令を含み得る。さらに、たとえば、１つまたは複数のプロセッサ５０３および／またはメモリ５０５は、ｅＮＢ５０４との通信がダウンリンクからアップリンクにおよび／またはその逆に切り替える１つまたは複数の設定可能ＴＴＩを決定するためのダウンリンク／アップリンク切替え検出コンポーネント５１２によって定義されるアクションまたは動作を実行し得る。一態様では、たとえば、ダウンリンク／アップリンク切替え検出コンポーネント５１２は、ハードウェア（たとえば、１つまたは複数のプロセッサ５０３の１つまたは複数のプロセッサモジュール）、および／あるいはメモリ５０５に記憶され、本明細書で説明する特別に設定されたダウンリンク／アップリンク切替え検出動作を実行するために１つまたは複数のプロセッサ５０３のうちの少なくとも１つによって実行可能なコンピュータ可読コードまたは命令を含み得る。さらに、たとえば、１つまたは複数のプロセッサ５０３および／またはメモリ５０５は、オプションにより、設定可能ＴＴＩ中の通信が前のＴＴＩ中にアップリンク通信からダウンリンク通信におよび／またはその逆に切り替えられたかどうかを決定するために使用され得る、１つまたは複数の基準信号について通信リソースを監視するための基準信号監視コンポーネント５１４によって定義されるアクションまたは動作を実行し得る。一態様では、たとえば、基準信号監視コンポーネント５１４は、ハードウェア（たとえば、１つまたは複数のプロセッサ５０３の１つまたは複数のプロセッサモジュール）、および／あるいはメモリ５０５に記憶され、本明細書で説明する特別に構成された基準信号監視動作を実行するために１つまたは複数のプロセッサ５０３のうちの少なくとも１つによって実行可能なコンピュータ可読コードまたは命令を含み得る。
【００５２】
[0061]同様に、一態様では、ｅＮＢ５０４は、たとえば、１つまたは複数のバス５５７を介して通信可能に結合され得る１つまたは複数のプロセッサ５５３および／またはメモリ５５５を含み得、１つまたは複数のＴＴＩ中の、ダウンリンク通信からアップリンク通信への、および／またはその逆の切替えに関する１つまたは複数のパラメータを示し得る、１つまたは複数のリソース許可または他のインジケータ５８０をＵＥ５０２に通信するために、スケジューリングコンポーネント３０２の１つまたは複数とともに動作するか、またはさもなければそれを実装し得る。たとえば、スケジューリングコンポーネント３０２に関係する様々な機能は、１つまたは複数のプロセッサ５５３によって実装されるか、またはさもなければ実行され得、一態様では、単一のプロセッサによって実行され得、他の態様では、上記で説明したように、機能のうちの異なるものは２つまたはそれ以上の異なるプロセッサの組合せによって実行され得る。一例では、１つまたは複数のプロセッサ５５３および／またはメモリ５５５は、ＵＥ５０２の１つまたは複数のプロセッサ５０３および／またはメモリ５０５に関して上記の例に記載されているように構成され得ることを諒解されたい。
【００５３】
[0062]一例では、１つまたは複数のプロセッサ５５３および／またはメモリ５５５は、スケジューリングコンポーネント３０２またはそれのサブコンポーネントによって定義されるアクションまたは動作を実行し得る。たとえば、１つまたは複数のプロセッサ５５３および／またはメモリ５５５は、ＵＥ５０２のための１つまたは複数のリソース許可（resource grants）および／または他のインジケータ５８０を生成するためのリソース許可生成コンポーネント５２０によって定義されるアクションまたは動作を実行し得、ここで、リソース許可および／または他のインジケータ５８０は、通信がその間にダウンリンクからアップリンクに、および／またはその逆に切り替えられるＴＴＩに関する１つまたは複数のパラメータを示し得る。一態様では、たとえば、リソース許可生成コンポーネント５２０は、ハードウェア（たとえば、１つまたは複数のプロセッサ５５３の１つまたは複数のプロセッサモジュール）、および／またはメモリ５５５に記憶され、本明細書で説明する特別に設定されたリソース許可生成動作を実行するために１つまたは複数のプロセッサ５５３のうちの少なくとも１つによって実行可能なコンピュータ可読コードまたは命令を含み得る。さらに、たとえば、１つまたは複数のプロセッサ５５３および／またはメモリ５５５は、リソース許可または他のインジケータ５８０を介して、通信がその間にダウンリンクからアップリンクに、および／またはその逆に切り替えられるＴＴＩに関する１つまたは複数のパラメータを示すためのオプションのダウンリンク／アップリンク切替え指示コンポーネント５２２によって定義されるアクションまたは動作を実行し得る。一態様では、たとえば、ダウンリンク／アップリンク切替え指示コンポーネント５２２は、ハードウェア（たとえば、１つまたは複数のプロセッサ５５３の１つまたは複数のプロセッサモジュール）、および／あるいはメモリ５５５に記憶され、本明細書で説明する特別に設定されたダウンリンク／アップリンク切替え指示動作を実行するために１つまたは複数のプロセッサ５５３のうちの少なくとも１つによって実行可能なコンピュータ可読コードまたは命令を含み得る。
【００５４】
[0063]トランシーバ５０６、５５６は、１つまたは複数のアンテナ、ＲＦフロントエンド、１つまたは複数の送信機、および１つまたは複数の受信機を通じてワイヤレス信号を送信および受信するように構成され得ることを諒解されたい。一態様では、トランシーバ５０６、５５６は、ＵＥ５０２および／またはｅＮＢ５０４がある周波数において通信することができるように、指定された周波数において動作するように同調させられ得る。一態様では、関係するアップリンク通信チャネルまたはダウンリンク通信チャネル上で、それぞれ、アップリンク信号５０８および／またはダウンリンク信号５０９を通信するために、構成、通信プロトコルなどに基づいて指定された周波数および電力レベルにおいて動作するように、１つまたは複数のプロセッサ５０３がトランシーバ５０６を構成し得、および／または１つまたは複数のプロセッサ５５３がトランシーバ５５６を構成し得る。
【００５５】
[0064]一態様では、トランシーバ５０６、５５６は、トランシーバ５０６、５５６を使用して送信および受信されるデジタルデータを処理するように（たとえば、図示されていないマルチバンドマルチモードモデムを使用して）マルチプルな帯域中で動作することができる。一態様では、トランシーバ５０６、５５６は、マルチバンドであり、特定の通信プロトコルについてマルチプルな周波数帯域をサポートするように構成され得る。一態様では、トランシーバ５０６、５５６は、マルチプルな動作ネットワークおよび通信プロトコルをサポートするように構成され得る。したがって、たとえば、トランシーバ５０６、５５６は、指定されたモデム構成に基づいて信号の送信および／または受信を可能にし得る。
【００５６】
[0065]図６に、ダウンリンク通信およびアップリンク通信のために設定されたＴＴＩ間の動的切替えを可能にするフレーム構造に基づいて、（たとえば、ＵＥによって）ネットワークエンティティと通信するための例示的な方法６００を示す。ブロック６０２において、ＵＥは、オプションにより、フレーム内でダウンリンク通信とアップリンク通信との間の設定可能ＴＴＩの動的切替えを可能にするフレーム構造を使用して、ネットワークエンティティと通信する。ＵＥ５０２（図５）の通信コンポーネント３６１は、フレーム内でダウンリンク通信とアップリンク通信との間の設定可能ＴＴＩの動的切替えを可能にするフレーム構造を使用して、ネットワークエンティティ（たとえば、ｅＮＢ５０４）と通信することができる。一例では、リソース許可生成コンポーネント５２０は、フレーム構造に基づいて指定されたリソースを用いてＵＥ５０２を構成することができ、リソース許可受信コンポーネント５１０は、通信コンポーネント３６１を介してｅＮＢ５０４と通信するためのリソースを受信することができる。一例では、フレーム構造は、専用ダウンリンクＴＴＩ、アップリンク通信またはダウンリンク通信のいずれかのために設定可能なＴＴＩ、および／または専用アップリンクＴＴＩを含むフレーム構造４００（図４）と同様であり得る。したがって、たとえば、ダウンリンクリソースまたはアップリンクリソースとして設定可能である対応するＴＴＩ中または専用ダウンリンクＴＴＩであるＴＴＩ中のダウンリンクリソースを示すダウンリンクリソース許可、ダウンリンクリソースまたはアップリンクリソースとして設定可能である対応するＴＴＩ中または専用アップリンクＴＴＩであるＴＴＩ中のアップリンクリソースを示すアップリンクリソース許可などを、リソース許可生成コンポーネント５２０が生成し得、リソース許可受信コンポーネント５１０が受信し得る。
【００５７】
[0066]たとえば、ＵＥ５０２およびｅＮＢ５０４は、ダウンリンク通信またはアップリンク通信のために設定可能なＴＴＩが、１つまたは複数のＴＴＩについてダウンリンク通信のために設定され、次いで１つまたは複数のＴＴＩについてアップリンク通信のために設定され、次いで再びダウンリンクのために設定されるように、など、ダウンリンクバーストまたはアップリンクバーストにおいて通信し得る。説明したように、一例では、ｅＮＢ５０４は、所望のアップリンクまたはダウンリンクレイテンシを達成するように、これらのＴＴＩ中のダウンリンク通信とアップリンク通信との間の切替えを定義することができ、それは、ｅＮＢ５０４上の負荷、ＵＥ５０２のバッファステータス、サービス品質、サブスクリプションレベルなど、および／または通信リソースに対する需要を示すことができる同様のパラメータに少なくとも部分的に基づいてその切替えを定義することを含み得る。この点について、本明細書でさらに説明するように、ｅＮＢ５０４は、設定可能ＴＴＩ中の、ダウンリンクからアップリンクへのおよび／またはその逆の切替えに関する１つまたは複数のパラメータを、ＵＥ５０２および／または１つまたは複数の他のＵＥに示し得る。しかしながら、一例では、ＵＥ５０２および／または１つまたは複数の他のＵＥは、本明細書で説明するように、ダウンリンク通信からアップリンク通信への、および／またはその逆の設定可能ＴＴＩの切替えに関する情報を受信するために、許可されたリソース上でネットワークエンティティと通信する必要がないことを諒解されたい。
【００５８】
[0067]したがって、ブロック６０４において、ＵＥは、設定可能ＴＴＩをダウンリンク通信からアップリンク通信に切り替えることの通知をネットワークエンティティから受信する。ダウンリンク／アップリンク切替え検出コンポーネント５１２は、設定可能ＴＴＩをダウンリンク通信からアップリンク通信に切り替えることの通知をネットワークエンティティから受信することができる。設定可能ＴＴＩをダウンリンク通信からアップリンク通信に切り替えることの様々な通知がこの点について採用され得ることを諒解されたい。一例では、ブロック６０４において通知を受信する際に、ブロック６０６において、ＵＥは、オプションにより、アップリンクリソース許可において、設定可能ＴＴＩを示す通知を受信する。したがって、たとえば、ＵＥ５０２がｅＮＢ５０４によってリソースをスケジュールされる場合、リソース許可生成コンポーネント５２０は、所与のＴＴＩに関係するＵＥ５０２のためのアップリンクリソース許可５８０を生成することができ、スケジューリングコンポーネント３０２は、（たとえば、トランシーバ５５６を介して）アップリンクリソース許可５８０をＵＥ５０２に送信することができる。この例では、リソース許可受信コンポーネント５１０は、（たとえば、トランシーバ５０６を介して）ｅＮＢ５０４から受信されたアップリンクリソース許可５８０において、設定可能ＴＴＩを示す通知を受信することができる。たとえば、ダウンリンク／アップリンク切替え検出コンポーネント５１２は、アップリンクリソース許可において示されるＴＴＩまたは同様のタイミング情報に少なくとも部分的に基づいて、所与のＴＴＩ中のダウンリンクからアップリンクへの切替えを決定することができる。一例では、ダウンリンク／アップリンク切替え検出コンポーネント５１２は、許可されたアップリンクリソースに対応するＴＴＩ、許可されたアップリンクリソースの前のいくつかのＴＴＩ、アップリンクリソース許可が受信されたＴＴＩの後のいくつかのＴＴＩ、リソース許可における切替えＴＴＩとして示されたＴＴＩ中などに起こるように、ダウンリンクからアップリンクへの切替えを決定することができる。
【００５９】
[0068]別の例では（たとえば、ＵＥ５０２がｅＮＢ５０４によってスケジュールされない場合、またはいずれの場合も）、ダウンリンク／アップリンク切替え指示コンポーネント５２２は、インジケータを使用して設定可能ＴＴＩ中のダウンリンク通信からアップリンク通信への切替えを示すことができる。したがって、たとえば、ブロック６０４において通知を受信する際に、ブロック６０８において、ＵＥは、オプションにより、ダウンリンク通信のために設定された前のＴＴＩ中のインジケータとして通知を受信する。たとえば、ダウンリンク／アップリンク切替え検出コンポーネント５１２は、ダウンリンク通信のために設定された前のＴＴＩ中のインジケータ５８０（たとえば、ダウンリンクチャネルを使用して、ダウンリンク信号５０９中で送信され得るヘッドアップビットなど）として通知を受信し得、その場合、ダウンリンク／アップリンク切替え検出コンポーネント５１２は、（たとえば、トランシーバ５０６を介して）そのビットまたは他のインジケータ５８０を受信することができ、設定可能ＴＴＩを、通信がアップリンク通信に切り替えられる今度の（upcoming）ＴＴＩとして決定することができる。インジケータは、切替えが次のＴＴＩ中に行われること、切替えが行われる前のＴＴＩの数（たとえば、ヘッドアップビットが受信された後の、知られているまたは設定されたＴＴＩの数、またはインジケータにおいて指定された明示的なＴＴＩの数）、（たとえば、フレーム番号、サブフレーム番号などによって）ＴＴＩが識別され得る、切替えが行われる明示的ＴＴＩなどのうちの少なくとも１つを示し得る。たとえば、ダウンリンク／アップリンク切替え検出コンポーネント５１２は、インジケータを検出するためにｅＮＢ５０４からの通信を監視することができる。
【００６０】
[0069]たとえば、ＵＥ５０２がｅＮＢ５０４によってスケジュールされる場合、ダウンリンク／アップリンク切替え検出コンポーネント５１２は、ダウンリンク許可の受信に続くｅＮＢ５０４からの通信、またはダウンリンク許可持続時間の他の指示を監視することができる。さもなければ、ＵＥ５０２は、切替えの指示（たとえば、アップリンクリソース許可または他のインジケータ５８０）がｅＮＢ５０４から受信されるまで、実質的に任意の設定可能ＴＴＩ（および／または専用ダウンリンクＴＴＩ）においてｅＮＢ５０４からの通信を監視することができる。
【００６１】
[0070]さらに、たとえば、リソース許可または他のインジケータ５８０は、設定可能ＴＴＩが再びダウンリンク通信に切り替えられるまでのアップリンクＴＴＩの持続時間を示す１つまたは複数のパラメータを含み得る。たとえば、１つまたは複数のパラメータは、アップリンクバーストのバースト長に関するリソース許可または他のインジケータ５８０において示されるＴＴＩの数に対応し得る。一例では、ＴＴＩの数についての０でない値も、次のＴＴＩ中のアップリンク通信への切替えを示すパラメータであり得る。いずれの場合も、ダウンリンク／アップリンク切替え検出コンポーネント５１２は、本明細書でさらに説明するように、持続時間の間アップリンク通信への切替えを検出することができ、持続時間の最後に、ダウンリンク通信に戻る切替えを決定し得る。
【００６２】
[0071]追加の例では、ｅＮＢ５０４は、ダウンリンク通信からアップリンク通信に、および／またはその逆にＴＴＩを切り替えることの明示的通知を通信しないことがあり、むしろ、ｅＮＢ５０４からの通信は、切替えを暗黙的に通知し得る。したがって、ダウンリンク／アップリンク切替え検出コンポーネント５１２は、所与のＴＴＩがダウンリンク通信のために設定されるのか、アップリンク通信のために設定されるのかをブラインド検出することを試み得る。たとえば、ブロック６０４において通知を受信する際に、ブロック６１０において、ＵＥは、オプションにより、前の設定可能ＴＴＩ中に１つまたは複数の基準信号を検出し、設定可能ＴＴＩが１つまたは複数の基準信号を含まないことを検出したことに少なくとも部分的に基づいて、設定可能ＴＴＩがアップリンク通信のために設定されると決定し得る。たとえば、基準信号監視コンポーネント５１４は、前の設定可能ＴＴＩ中に１つまたは複数の基準信号を検出することができ、ダウンリンク／アップリンク切替え検出コンポーネント５１２は、設定可能ＴＴＩが１つまたは複数の基準信号を含まないことを検出したことに少なくとも部分的に基づいて、設定可能ＴＴＩがアップリンク通信のために設定されると決定することができる。
【００６３】
[0072]一例では、設定可能ＴＴＩがブロック６１０において１つまたは複数の基準信号を含まないことを検出する際に、ブロック６１２において、ＵＥは、オプションにより、前の設定可能ＴＴＩ中に１つまたは複数の基準信号に対応するパイロットシーケンスを検出し、パイロットシーケンスが設定可能ＴＴＩ中に存在しないと決定することによって、設定可能ＴＴＩが１つまたは複数の基準信号を含まないことを検出する。基準信号監視コンポーネント５１４は、前の設定可能ＴＴＩ中に１つまたは複数の基準信号に対応するパイロットシーケンスを検出することができ、パイロットシーケンスが設定可能ＴＴＩ中に存在するかどうかを決定することができる。
【００６４】
[0073]一例では、ｅＮＢ５０４は、パイロットシーケンスに従って、セル固有基準信号（ＣＲＳ）などの基準信号を送信することができる。ｅＮＢ５０４は、デンス（dense）パイロット信号を使用して基準信号を送信することができ、これは、（たとえば、ＴＴＩ中に基準信号を送信するために、実質的にすべての利用可能帯域幅、または少なくとも周波数サブキャリア超の帯域幅を使用して）デンスパイロット構成を用いて基準信号を送信することを含み得る。これは、ＵＥ５０２によるパイロット信号の改善された受信および検出を可能にすることができる。別の例では、ｅＮＢ５０４は、比較的スパース（sparse）のパイロット構成（たとえば、デンスパイロット構成よりも小さい帯域幅を使用し得る、ＬＴＥなど、ＲＡＴについて通常定義されるパイロット構成）を使用して基準信号を送信し得る。いずれの場合も、この点についてパイロット信号として送信された基準信号は、基準信号の後続の送信または関係するパイロットシーケンスをコヒーレントに検出するためにチャネル推定を実行するために使用され得る。この例では、基準信号監視コンポーネント５１４は、前の設定可能ＴＴＩ中の信号を監視することができ、パイロット信号として送信された基準信号を観測することができる。基準信号監視コンポーネント５１４は、したがって、チャネル推定を実行するために基準信号を使用することができ、前の設定可能ＴＴＩから取得されたチャネル推定値は、後続のＴＴＩ中で関係する（たとえば、同様の）パイロットシーケンスを検出することに基づいて後続のＴＴＩがダウンリンクＴＴＩであると決定するために、後続のＴＴＩ中の基準信号の検出を助けるために使用され得る。
【００６５】
[0074]この例では、基準信号監視コンポーネント５１４は、ダウンリンク通信のために設定された前の設定可能ＴＴＩ中に（または専用ダウンリンクＴＴＩ中に）基準信号についてチャネルを監視することができ、ｅＮＢ５０４によって送信された基準信号（たとえば、ＣＲＳ）のパイロットシーケンスを観測するか、またはさもなければ決定することができる。基準信号監視コンポーネント５１４は、したがって、検出されたパイロットシーケンスに基づいて、設定可能ＴＴＩなど、後続のダウンリンクＴＴＩ中に基準信号（たとえば、ＣＲＳ）をコヒーレントに検出することを試みることができる。基準信号監視コンポーネント５１４が設定可能ＴＴＩ中に決定されたパイロットシーケンスを有する基準信号に遭遇しない場合、これは、設定可能ＴＴＩがダウンリンク通信からアップリンク通信に切り替えたという通知であり得、ダウンリンク／アップリンク切替え検出コンポーネント５１２は、通信が設定可能ＴＴＩ中に（またはその前に）ダウンリンク通信からアップリンク通信に切り替えられたと決定し得る。
【００６６】
[0075]別の例では、基準信号監視コンポーネント５１４が、パイロットシーケンスを決定するために、前の設定可能ＴＴＩからのチャネル推定値に依拠せず、代わりに現在のＴＴＩに依拠し、したがって、ｅＮＢ５０４からのダウンリンク信号５０９中で受信される基準信号を非コヒーレントに検出し得ることを諒解されたい。たとえば、基準信号監視コンポーネント５１４は、前の設定可能ＴＴＩがダウンリンクＴＴＩではなかった場合、またはさもなければコヒーレント検出が使用またはサポートされない場合、基準信号を非コヒーレントに検出し得る（たとえば、これは、前に検出された基準信号に関する情報を記憶するために本来ならば使用され得るメモリを温存することができる）。いずれの場合も、説明したように、ダウンリンク／アップリンク切替え検出コンポーネント５１２は、ＴＴＩ中に基準信号を検出することに少なくとも部分的に基づいて、ＴＴＩがダウンリンク通信のために設定されることを検出することができる。同様に、一例では、ダウンリンク／アップリンク切替え検出コンポーネント５１２は、ＴＴＩ中に基準信号または関係するパイロットシーケンスを検出しないことに少なくとも部分的に基づいて、ＴＴＩがダウンリンク通信のために設定されない（たとえば、アップリンク通信のために設定される）ことを検出することができる。したがって、ダウンリンク／アップリンク切替え検出コンポーネント５１２は、ＴＴＩがダウンリンク通信に関連する１つまたは複数の基準信号を含むかどうかを（非コヒーレントに）決定することに基づいて、設定可能ＴＴＩを切り替えることの通知を受信することができる。
【００６７】
[0076]さらに、一例では、ブロック６０４において通知を受信する際に、ブロック６１４において、ＵＥは、オプションにより、前の設定可能ＴＴＩ中に受信された１つまたは複数の信号から物理レイヤチャネルを復号することに少なくとも部分的にさらに基づいて、前の設定可能ＴＴＩがダウンリンク通信のために設定されると決定する。ダウンリンク／アップリンク切替え検出コンポーネント５１２は、前の設定可能ＴＴＩ中に受信された１つまたは複数の信号から物理レイヤチャネルを復号することに少なくとも部分的にさらに基づいて、前の設定可能ＴＴＩがダウンリンク通信のために設定されると決定することができる。これは、設定可能ＴＴＩがダウンリンク通信からアップリンク通信に切り替えられるという通知を暗黙的に受信するように、設定可能ＴＴＩがブロック６１０において１つまたは複数の基準信号を含まないことを検出する前に、行われていることがある。別の例では、ダウンリンク／アップリンク切替え検出コンポーネント５１２は、本明細書でさらに説明するように、前の設定可能ＴＴＩがダウンリンク通信のために設定されたことを確認するために、追加または代替として、ｅＮＢ５０４から受信された信号中の知られている物理レイヤチャネルを復号することを試みることができる。一例では、ダウンリンク／アップリンク切替え検出コンポーネント５１２は、前の設定可能ＴＴＩがダウンリンク通信に対応したことを確認するために、受信されたＣＲＳに基づいて、物理制御フォーマットインジケータチャネル（ＰＣＦＩＣＨ）など、物理レイヤチャネルを復号することを試みることができる。
【００６８】
[0077]いずれの場合も、設定可能ＴＴＩをダウンリンク通信からアップリンク通信に切り替えることの明示的または暗黙的通知を受信することに基づいて、通信コンポーネント３６１は、トランシーバ５０６または関係するリソース（たとえば、アンテナ、モデムプロセッサなど、アンテナを動作させることができる１つまたは複数のプロセッサ５０３など）を受信モードから送信モードに切り替えることができる。別の例では、通信コンポーネント３６１は、本明細書で説明するように、スリープモードに入ることができ、これは、設定可能ＴＴＩがアップリンク通信のために設定されることを検出することに基づいて、ある時間期間の間、トランシーバ５０６、関係するプロセッサ（たとえば、モデムプロセッサ）、アンテナなどの１つまたは複数のコンポーネントを非アクティブにすることを含み得る。ＵＥ５０２がｅＮＢ５０４と通信するようにスケジュールされない場合、たとえば、これは、リソースを温存し、ＵＥ５０２の電力消費を低下させることができる。
【００６９】
[0078]ブロック６１６において、ＵＥは、通知に少なくとも部分的に基づいて、設定可能ＴＴＩの間にアップリンク通信をネットワークエンティティに送信する。たとえば、説明したように、送信モードにあるトランシーバ５０６を用いて、通信コンポーネント３６１は、通知に少なくとも部分的に基づいて設定可能ＴＴＩの間にアップリンク通信をネットワークエンティティ（たとえば、ｅＮＢ５０４）に送信することができる。たとえば、アップリンクデータバーストにおける第１のＴＴＩ（たとえば、および／または専用アップリンクＴＴＩ）は、ＣＳＩ報告、ＡＣＫ／ＮＡＣＫフィードバック、ＳＲなどのアップリンク制御情報をｅＮＢ５０４に送信するためにスケジュールされたおよび／またはスケジュールされていないＵＥ５０２によって使用され得る。したがって、この例では、アップリンク制御情報の少なくとも一部を送信するためのスケジューリングは、ＵＥ５０２が（たとえば、上記で説明したように、リソース許可または他のインジケータ５８０に基づいて）設定可能ＴＴＩの、アップリンク通信への切替えを検出することができ、したがって、設定可能ＴＴＩ中に制御データを送信することができるので、ｅＮＢ５０４に必要とされないことがある。これは、さらに、制御データ通信のための明示的リソース許可が必要とされないことがあるので、リソースを温存し、レイテンシを低減することができる。しかしながら、この例では、制御チャネルリソースは、第１のアップリンクＴＴＩ中に（たとえば、ｅＮＢ５０４からの初期リソース許可などにおいて）制御データを通信するためにＵＥ５０２に半静的に割り振られ得るが、アップリンクバーストの第１のアップリンクＴＴＩ中の制御データの各送信のために必要とされないことがあることを諒解されたい。
【００７０】
[0079]さらに、アップリンク通信への切替えが、ＵＥ５０２によって受信されたリソース許可の一部である場合、通信コンポーネント３６１は、アップリンクデータバーストにおいて追加のアップリンク通信をＵＥ５０２に送信することができる。たとえば、通信コンポーネント３６１は、アップリンクデータバーストが終了するまで（たとえば、本明細書でさらに説明するように、ｅＮＢ５０４からの明示的指示によってなのか、ダウンリンク通信に切り替えるまでのアップリンクデータバーストに関係するＴＴＩの数の指示によってなのか、ｅＮＢ５０４から１つまたは複数のダウンリンク信号を受信することに基づいて切替えを検出することによってなのかなどにかかわらず、ｅＮＢ５０４が、設定可能ＴＴＩをアップリンク通信からダウンリンク通信に切り替えることを示すまで）ｅＮＢ５０４に送信し続けることができる。
【００７１】
[0080]図７に、同じく、ダウンリンク通信およびアップリンク通信のために設定されたＴＴＩ間の動的切替えを可能にするフレーム構造に基づいて、（たとえば、ＵＥによって）ネットワークエンティティと通信するための例示的な方法７００を示す。図６に関して上記で説明したように、ブロック６０２において、ＵＥは、オプションにより、フレーム内でダウンリンク通信とアップリンク通信との間の設定可能ＴＴＩの動的切替えを可能にするフレーム構造を使用して、ネットワークエンティティと通信する。図６に関して上記で説明したように、ブロック６０４において、ＵＥは、設定可能ＴＴＩをダウンリンク通信からアップリンク通信に切り替えることの通知をネットワークエンティティから受信する。図６に関して上記で説明したように、ブロック６１６において、ＵＥは、通知に少なくとも部分的に基づいて、設定可能ＴＴＩの間にアップリンク通信をネットワークエンティティに送信する。
【００７２】
[0081]ブロック７０２において、ＵＥは、オプションにより、通知に少なくとも部分的に基づいて、ダウンリンク通信のために切り替えられるべき第１の設定可能ＴＴＩを決定する。たとえば、ダウンリンク／アップリンク切替え検出コンポーネント５１２は、通知に少なくとも部分的に基づいて、ダウンリンク通信のために切り替えられるべき第１の設定可能ＴＴＩを決定することができる。説明したように、ダウンリンク／アップリンク切替え指示コンポーネント５２２は、（たとえば、ブロック６０４において）通信コンポーネント３６１によって受信されたようなダウンリンク通信からアップリンク通信に切り替えることの通知を与えるために使用されるのと同じインジケータであり得る、１つまたは複数のインジケータを使用して、設定可能ＴＴＩ中の、アップリンクからダウンリンクへの切替えを示し得る。たとえば、リソース許可生成コンポーネント５２０は、ＵＥ５０２に与えられたアップリンクリソース許可のバースト長（たとえば、ここで、バースト長はいくつかのＴＴＩに対応することができる）、通信がその間にダウンリンクに戻って切り替えられるＴＴＩのインデックスなどを指定することができる。別の例では、ダウンリンク／アップリンク切替え指示コンポーネント５２２は、ダウンリンク通信に戻る切替えがいつ行われるかを示す（たとえば、Ｌ１シグナリングにおける）１つまたは複数のパラメータ（たとえば、アップリンクバーストのバースト長、通信がその間にダウンリンクに戻って切り替えられるＴＴＩのインデックスなど）をも含むように、ダウンリンクからアップリンクへの切替えの他のインジケータ（たとえば、ヘッドアップビットを搬送するＴＴＩ）を生成し得る。したがって、いずれの場合も、ダウンリンク／アップリンク切替え検出コンポーネント５１２は、アップリンクリソース許可または他のインジケータ５８０中で受信された１つまたは複数のパラメータに基づいて、（たとえば、ダウンリンクバーストのための）設定可能ＴＴＩ中の、アップリンク通信からダウンリンク通信への切替えを検出することができる。
【００７３】
[0082]別の例では、スケジューリングコンポーネント３０２は、必ずしもＵＥ５０２または１つまたは複数の他のＵＥにダウンリンクへの切替えを示すことなしに、ダウンリンク信号５０９を送信することを開始し得る。したがって、たとえば、ダウンリンク／アップリンク切替え検出コンポーネント５１２は、本明細書でさらに説明するように、１つまたは複数のダウンリンク信号を受信することに基づいて切替えを検出することができる。したがって、一例では、ブロック７０２においてダウンリンク通信のために切り替えられるべき第１の設定可能ＴＴＩを決定する際に、ブロック７０４において、ＵＥは、アップリンク通信がそれにわたって送信される少なくとも１つのＴＴＩに続く１つまたは複数の設定可能ＴＴＩ中にネットワークエンティティからの信号を監視し、基準信号を検出することまたはダウンリンク制御チャネルを復号することに基づいて、ダウンリンク通信に戻る１つまたは複数の設定可能ＴＴＩの切替えを決定し得る。たとえば、基準信号監視コンポーネント５１４は、アップリンク通信が（たとえば、ＵＥ５０２によって）それにわたって送信される少なくとも１つのＴＴＩに続く１つまたは複数の設定可能ＴＴＩ中にネットワークエンティティからの信号（たとえば、ｅＮＢ５０４からの基準信号）を監視することができ、基準信号を検出することまたはダウンリンク制御チャネルを復号することに基づいて、ダウンリンク通信に戻る１つまたは複数の設定可能ＴＴＩの切替えを決定することができる。
【００７４】
[0083]たとえば、ダウンリンク通信からアップリンク通信への決定された切替えに続いて、ダウンリンク基準信号がｅＮＢ５０４から検出される場合、これは、（たとえば、ダウンリンク基準信号が設定可能ＴＴＩ中で受信され、および／または専用ダウンリンクＴＴＩ中で受信されない場合）設定可能ＴＴＩ中の、アップリンク通信から戻るダウンリンク通信への切替えを示し得る。たとえば、ＵＥ５０２がｅＮＢ５０４によってスケジュールされるが、ダウンリンク通信への切替えがいつ行われるかの指示を受信しない場合、通信コンポーネント３６１は、ｅＮＢ５０４から受信されたそれのアップリンクリソース許可に従って、１つまたは複数のアップリンクＴＴＩにわたってそれのアップリンクデータ情報を送信することができ、次いで、基準信号監視コンポーネント５１４は、設定可能ＴＴＩがいつアップリンク通信から戻ってダウンリンク通信に切り替えられるかを決定するためにｅＮＢ５０４からのダウンリンク基準信号を監視することを開始することができる。これは、通信コンポーネント３６１が、アップリンクデータ情報を送信することに続いて基準信号を監視するために、トランシーバ５０６を受信モードに切り替えることを含み得る。別の例では、ＵＥ５０２がｅＮＢ５０４によってまったくスケジュールされない場合、通信コンポーネント３６１は、場合によっては、示されたアップリンクデータバーストにおいて第１のアップリンクＴＴＩにわたってアップリンク制御情報を送信することができ、次いで、基準信号監視コンポーネント５１４は、設定可能ＴＴＩがいつアップリンク通信から戻ってダウンリンク通信に切り替えられるかを決定するためにｅＮＢ５０４からのダウンリンク基準信号を監視することを開始することができる。この場合も、これは、通信コンポーネント３６１が、アップリンク制御情報またはそれ以外を送信した後に基準信号を監視するために、トランシーバ５０６を受信モードに切り替えることを含み得る。
【００７５】
[0084]一例では、この点についてｅＮＢ５０４からの信号を監視することは、所与のＴＴＩがダウンリンクであるのかアップリンクであるのかをブラインド検出することを可能にすることができる。上記で説明したように、ｅＮＢ５０４は、パイロットシーケンスに従って、ＣＲＳなどの基準信号を送信することができる。この例では、ブロック７０４において信号を監視することは、知られているまたは学習されたパイロットシーケンスを有する信号を監視することを含み得る。一例では、基準信号監視コンポーネント５１４は、前のダウンリンクＴＴＩ中にｅＮＢ５０４から受信された基準信号を観測することができ、（たとえば、ｅＮＢ５０４から受信された基準信号のチャネル推定値に基づいて）利用されるパイロットシーケンスを検出することができる。基準信号監視コンポーネント５１４は、したがって、検出されたパイロットシーケンスに基づいて、後続のダウンリンクＴＴＩ中に基準信号を検出することを試みることができる。さらに、一例では、基準信号監視コンポーネント５１４は、設定可能ＴＴＩがダウンリンク通信のために切り替えられることを確認するために、ダウンリンク制御チャネル（たとえば、物理ダウンリンク制御チャネル（ＰＤＣＣＨ）、物理制御フォーマットインジケータチャネル（ＰＣＦＩＣＨ）または同様のチャネル）など、後続の受信された信号中の知られている物理レイヤチャネルを、受信された基準信号（たとえば、ＣＲＳ）に基づいて復号することを試みることができる。
【００７６】
[0085]いずれの場合も、切り替えられるべき第１の設定可能ＴＴＩがブロック７０２において決定される場合、通信コンポーネント３６１は、説明したように、ｅＮＢ５０４からダウンリンク信号５０９を受信するためにトランシーバ５０６を受信モードに切り替えることができる。したがって、ブロック７０６において、ＵＥは、オプションにより、第１の設定可能ＴＴＩ中にネットワークエンティティから制御データを受信する。通信コンポーネント３６１は、第１の設定可能ＴＴＩ中にネットワークエンティティ（たとえば、ｅＮＢ５０４）から制御データを受信することができる。説明したように、これは、ｅＮＢ５０４からの制御データを含み得る、ｅＮＢ５０４からのダウンリンク信号５０９を受信することを含むことができる。一例では、制御データは、ＵＥ５０２のためのリソース許可および／またはＴＴＩがアップリンク通信のために戻っていつ切り替えられるかの指示を示し得る。いずれの場合も、たとえば、通信コンポーネント３６１は、１つまたは複数のＴＴＩ中にダウンリンク信号５０９を受信し続けることができ、したがって、方法７００は、設定可能ＴＴＩをダウンリンク通信からアップリンク通信に切り替えることの別の通知を受信するために６０４に進むことができ、以下同様である。言い換えれば、ダウンリンク／アップリンク切替え検出コンポーネント５１２は、上記で説明した技法を使用してｅＮＢ５０４との通信を同期させるために、設定可能ＴＴＩ中の、ダウンリンク通信からアップリンク通信への切替えと、アップリンク通信からダウンリンク通信への切替えとを検出し続けることができる。
【００７７】
[0086]図８に、設定可能ＴＴＩがアップリンク通信のために設定されるのか、ダウンリンク通信のために設定されるのかを（たとえば、ＵＥによって）決定するための例示的な方法８００を示す。ブロック８０２において、ＵＥは、１つまたは複数の基準信号について１つまたは複数の設定可能ＴＴＩを監視する。基準信号監視コンポーネント５１４は、１つまたは複数の基準信号について１つまたは複数の設定可能ＴＴＩを監視することができる。説明したように、たとえば、基準信号監視コンポーネント５１４は、パイロット信号および／または基準信号に対応することが知られている１つまたは複数のパイロットシーケンスを監視することができる。一例では、基準信号監視コンポーネント５１４は、（たとえば、デンスまたはスパースパイロット構成に従って）前のＴＴＩ中に（たとえば、ｅＮＢ５０４から）パイロット信号を受信することができ、後続のＴＴＩ中に受信された同様の基準信号を検出するためにパイロット信号を利用することができる。基準信号監視コンポーネント５１４は、したがって、ｅＮＢ５０４によって送信された１つまたは複数の基準信号のためのパイロットシーケンスを決定することができ、後続の設定可能ＴＴＩ中に１つまたは複数の基準信号のコヒーレント検出を試みるためにパイロットシーケンスを利用することができる。別の例では、基準信号監視コンポーネント５１４は、前のＴＴＩ中に同様の基準信号を検出することなしに、ＴＴＩ中に基準信号を非コヒーレントに検出することができる。
【００７８】
[0087]ブロック８０４において、ＵＥは、１つまたは複数の基準信号がＴＴＩ中に検出されるかどうかを決定し得る。基準信号監視コンポーネント５１４は、１つまたは複数の基準信号がＴＴＩ中に検出されるかどうかを決定することができる。説明したように、これは、基準信号のパイロットシーケンスを検証すること、信号が基準信号であると決定するためにチャネル推定を実行することなどに基づき得る。
【００７９】
[0088]ブロック８０４において１つまたは複数の基準信号がＴＴＩ中に検出された場合、ブロック８０６において、ＵＥは、設定可能ＴＴＩがダウンリンク通信のために設定されると決定する。ダウンリンク／アップリンク切替え検出コンポーネント５１２は、１つまたは複数の基準信号がＴＴＩ中に検出された場合、ＴＴＩがダウンリンク通信のために設定されると決定することができる。基準信号は、上記で説明したように、ＣＲＳなどのダウンリンク基準信号に対応することができる。したがって、ブロック８０８において、ＵＥは、設定可能ＴＴＩの間にダウンリンク通信を受信する。通信コンポーネント３６１は、設定可能ＴＴＩの間に（たとえば、ｅＮＢ５０４から）ダウンリンク通信を受信することができる。８０４において１つまたは複数の基準信号が検出されたとき、トランシーバ５０６がアップリンク通信のために構成される場合、ブロック８０８においてダウンリンク通信を受信することは、通信コンポーネント３６１が、ＴＴＩの間にダウンリンク信号を受信するためにトランシーバ５０６および／または関係するリソース（たとえば、モデムプロセッサ、アンテナなど）を切り替えることをも含み得ることを諒解されたい。
【００８０】
[0089]ブロック８０４において１つまたは複数の基準信号がＴＴＩ中に検出されなかった場合、ブロック８１０において、ＵＥは、設定可能ＴＴＩがアップリンク通信のために設定されると決定する。ダウンリンク／アップリンク切替え検出コンポーネント５１２は、１つまたは複数の基準信号がＴＴＩ中に検出されなかった場合、ＴＴＩがアップリンク通信のために設定されると決定することができる。したがって、ブロック８１２において、ＵＥは、設定可能ＴＴＩの間にアップリンク通信を送信するか、またはブロック８１４において、１つまたは複数のＴＴＩの間にスリープモードに入る。通信コンポーネント３６１は、設定可能ＴＴＩの間にアップリンク通信を送信し、および／または１つまたは複数のＴＴＩの間にスリープモードに入ることができる。たとえば、ブロック８１２においてアップリンク通信を送信することは、通信コンポーネント３６１が、少なくとも、アップリンク通信のために設定されると決定された第１の設定可能ＴＴＩ中にアップリンク制御通信（たとえば、半静的に割り当てられたリソース上で送信され得る、ＡＣＫ／ＮＡＣＫ、ＣＳＩ、ＳＲなど）を送信することを含むことができる。さらに、一例では、ブロック８０４においてスリープモードに入ることは、１つまたは複数のＴＴＩの間にＵＥ５０２の１つまたは複数のリソース（たとえば、トランシーバ５０６またはそのコンポーネント、モデムプロセッサ、アンテナなど）を中断するか、または非アクティブにすることを含み得る。たとえば、これは、ＴＴＩがアップリンク通信のために設定されると決定された場合、ＵＥ５０２がアップリンクリソース許可を受信しなかったか、またはｅＮＢ５０４に送信することを終了された場合などに、行われ得る。８０４において１つまたは複数の基準信号が検出されなかったとき、トランシーバ５０６がダウンリンク通信のために構成される場合、ブロック８１２においてダウンリンク通信を送信することおよび／またはブロック８１４においてスリープモードに入ることは、通信コンポーネント３６１が、ＴＴＩの間にアップリンク信号を送信するためにトランシーバ５０６および／または関係するリソース（たとえば、モデムプロセッサ、アンテナなど）を切り替えることをも含み得ることを諒解されたい。
【００８１】
[0090]いずれの場合も、方法８００は、設定可能ＴＴＩがアップリンク通信のために設定されるのか、ダウンリンク通信のために設定されるのかを決定するために、１つまたは複数の基準信号について設定可能ＴＴＩを監視し続けるために、ブロック８０８または８１２／８１４からブロック８０２まで進むことができる。
【００８２】
[0091]図９に、１つまたは複数の設定可能ＴＴＩのためのダウンリンク通信とアップリンク通信との間の切替えを（たとえば、ｅＮＢによって）示すための例示的な方法９００を示す。ブロック９０２において、ｅＮＢは、フレーム内でアップリンク通信とダウンリンク通信との間の設定可能ＴＴＩの動的切替えを可能にするフレーム構造を使用して、ＵＥと通信する。スケジューリングコンポーネント３０２（図５）は、フレーム内でアップリンク通信とダウンリンク通信との間の設定可能ＴＴＩの動的切替えを可能にするフレーム構造を使用して、ＵＥ（たとえば、ＵＥ５０２）と通信することができる。一例では、リソース許可生成コンポーネント５２０は、説明したように、スケジューリングコンポーネント３０２がＵＥ５０２に通信を送信し、および／またはＵＥ５０２から通信を受信するために使用することができるフレーム構造に基づいて指定されたリソースを用いてＵＥ５０２を構成することができる。さらに、たとえば、スケジューリングコンポーネント３０２は、ダウンリンク通信のために設定された設定可能ＴＴＩ、専用ダウンリンクＴＴＩなどにわたってダウンリンク基準信号または他の信号を送信することができる。一例では、フレーム構造は、専用ダウンリンクＴＴＩ、アップリンク通信またはダウンリンク通信のいずれかのために設定可能なＴＴＩ、および／または専用アップリンクＴＴＩを含むフレーム構造４００（図４）と同様であり得る。
【００８３】
[0092]ブロック９０４において、ｅＮＢは、設定可能ＴＴＩをダウンリンク通信からアップリンク通信に切り替えると決定し得る。スケジューリングコンポーネント３０２は、設定可能ＴＴＩをダウンリンク通信からアップリンク通信に切り替えると決定することができる。説明したように、たとえば、スケジューリングコンポーネント３０２は、ｅＮＢ５０４における負荷、ｅＮＢ５０４におけるパケットのための遅延要件などを示すパラメータなど、ｅＮＢ５０４の１つまたは複数のパラメータ、ＵＥ５０２のバッファステータス、サービス品質、サブスクリプションレベルなどを示すパラメータなど、ＵＥ５０２の１つまたは複数のパラメータ、ダウンリンク通信とアップリンク通信との間でそれにわたって切り替えるべき時間間隔、ＵＥ５０２におけるパケットのための遅延要件などに関する１つまたは複数のパラメータなどに少なくとも部分的に基づいて、設定可能ＴＴＩをダウンリンク通信からアップリンク通信に切り替えると決定することができる。したがって、たとえば、スケジューリングコンポーネント３０２は、所望のダウンリンクまたはアップリンクレイテンシを達成するために、設定可能ＴＴＩをダウンリンク通信からアップリンク通信におよび／またはその逆に切り替えると決定し得る。別の例では、ｅＮＢ５０４は、ダウンリンク通信からアップリンク通信に切り替えるために、１つまたは複数のネットワークコンポーネントからの命令および／またはＵＥ５０２などのＵＥからの要求（たとえば、ＳＲ）を受信し得る。
【００８４】
[0093]ブロック９０６において、ＵＥは、切替えの指示をＵＥに送信する。ダウンリンク／アップリンク切替え指示コンポーネント５２２は、切替えの指示をＵＥ（たとえば、ＵＥ５０２）に送信することができる。たとえば、切替えは、上記で説明したように、明示的または暗黙的インジケータ（たとえば、リソース許可または他のインジケータ５８０、１つまたは複数の基準信号など）を含み得る。一例では、ブロック９０６において切替えの指示を送信する際に、ブロック９０８において、ｅＮＢは、オプションにより、アップリンクリソース許可において指示をＵＥに送信する。リソース許可生成コンポーネント５２０は、指示を含むようにＵＥ５０２のためのアップリンクリソース許可を生成することができ、したがって、スケジューリングコンポーネント３０２は、アップリンクリソース許可において指示をＵＥ５０２に送信することができる。したがって、たとえば、アップリンクリソース許可の受信は、切替えがいつ行われるべきか（たとえば、次いで切替えが行われるべきであるＴＴＩの明示的指示、許可を受信した後の示されるまたは知られているＴＴＩの数など）を示すことができる。別の例では、説明したように、ブロック９０６において指示を送信することは、スケジューリングコンポーネント３０２が別のインジケータ（たとえば、切替えのヘッドアップインジケータ）をＵＥ５０２に送信することを含み得る。この点について、たとえば、インジケータは、アップリンク通信への切替えが次の設定可能ＴＴＩ中に行われるべきであることを示すことができ、および／または切替えが行われるべきである後続のＴＴＩを明示的に示すことができる。
【００８５】
[0094]ブロック９１２において、ｅＮＢは、オプションにより、設定可能ＴＴＩをアップリンク通信からダウンリンク通信に切り替えると決定する。スケジューリングコンポーネント３０２は、設定可能ＴＴＩをアップリンク通信からダウンリンク通信に切り替えると決定することができる。説明したように、たとえば、スケジューリングコンポーネント３０２は、所望のアップリンクおよび／またはダウンリンクレイテンシなどを達成するように、ｅＮＢ５０４の１つまたは複数のパラメータに少なくとも部分的に基づいて、設定可能ＴＴＩをダウンリンク通信からアップリンク通信に切り替えると決定することができる。
【００８６】
[0095]ブロック９１４において、ＵＥは、切替えの指示をＵＥに送信する。スケジューリングコンポーネント３０２は、切替えの指示をＵＥ５０２に送信することができる。説明したように、たとえば、アップリンクリソース許可または他のインジケータ５８０において送信された指示は、ＴＴＩがいつダウンリンク通信に戻って切り替えられるかの指示をも含み得る。たとえば、指示は、説明したように、ダウンリンク通信に戻る切替えがアップリンクリソース許可の後に行われるべきであることを示すことができる、アップリンクリソース許可のサイズ、またはダウンリンク通信に戻る切替えの別の指示（たとえば、切替えがその間に行われるべきであるＴＴＩのインデックス、切替えがその後に行われるべきであるＴＴＩの数など）を含み得る。同様に、スケジュールされていないＵＥ（および／または別の例におけるスケジュールされたＵＥ）について、ダウンリンクアップリンク切替え指示コンポーネント５２２は、アップリンク通信への切替えがいつ行われるべきかを識別する他のインジケータ（たとえば、ヘッドアップインジケータ）を生成することができる。さらに、一例では、インジケータはまた、ダウンリンク通信に戻る切替えが行われるべきであるＴＴＩが識別され得るように、アップリンクデータバーストのバースト長、切替えがその間に行われるべきであるＴＴＩのインデックスなどを指定し得る。
【００８７】
[0096]別の例では、説明したように、スケジューリングコンポーネント３０２は、スケジューリングコンポーネント３０２が、設定可能ＴＴＩをダウンリンク通信に切り替えると決定したとき、ダウンリンク基準信号および／または（リソース許可生成コンポーネント５２０によって生成された）ダウンリンク許可を送信することができる。これは、ＵＥ５０２および／または他のＵＥへの明示的通知なしに行われ得る。ＵＥ５０２は、したがって、上記で説明したように、基準信号の受信を検出すること、基準信号に基づいて１つまたは複数の制御チャネルを復号することなどによって、切替えを決定することができる。したがって、一例では、ブロック９１４において切替えの指示をＵＥに送信する際に、ブロック９１６において、ＵＥは、ダウンリンクＴＴＩを示すためにＣＲＳをもつデンスパイロット信号を送信する。スケジューリングコンポーネント３０２は、ダウンリンクＴＴＩを示すためにＣＲＳをもつデンスパイロット信号を送信することができる。たとえば、スケジューリングコンポーネント３０２は、ＵＥ５０２による改善された受信および検出を可能にするために、複数のサブキャリア（たとえば、ｅＮＢ５０４と通信するためにＵＥ５０２によって利用される帯域幅中のすべての利用可能なサブキャリア）を使用してデンスパイロット信号を送信することができ、これは、ダウンリンクバーストの第１のＴＴＩ中に行われ得る。これは、上記で説明したように、ダウンリンク通信への切替えを検出するためにＣＲＳが１つまたは複数の設定可能ＴＴＩ中に存在するかどうかをその後決定するためのＣＲＳのパイロットシーケンスを決定するために、ＵＥ５０２が、デンスパイロット信号に基づいて１つまたは複数のＣＲＳの初期チャネル推定を実行するのを支援することができる。
【００８８】
[0097]図１０に、本明細書で説明するように、動的ＴＤＤフレーム構造（たとえば、図４中のフレーム構造４００）中のアップリンク通信またはダウンリンク通信のために設定されたようなＴＴＩを有する通信タイムライン１０００の一例を示す。タイムライン１０００は、上記で説明したように、ＵＥ５０２とｅＮＢ５０４との間の通信のために使用され得る。たとえば、場合によっては、タイムライン１０００は、アップリンク信号５０８および／またはダウンリンク信号５０９などの信号を含む。タイムライン１０００上に示されるパイロット送信は、説明したように、ＴＴＩがアップリンク通信のために設定されるのか、ダウンリンク通信のために設定されるのか（たとえば、および／または通信がＴＴＩ中にアップリンクバーストからダウンリンクバーストに、またはその逆に切り替えられたかどうか）を決定するために、（たとえば、基準信号監視コンポーネント５１４を使用して）ＵＥ５０２によって使用され得る。
【００８９】
[0098]タイムライン１０００は、説明したように、ダウンリンク通信のために設定または専用化され得る１つまたは複数のＴＴＩにわたるダウンリンク（ＤＬ）バースト１００５−ａを含み得る。ＤＬバースト１００５−ａは、プリアンブルＤＬシンボル１０１０−ａと通常ＤＬシンボル１０１５−ａとを含むことができる。いくつかの例では、通常ＤＬシンボル１０１５−ａは通常パイロット信号（たとえば、ＣＲＳまたは他の基準信号）を含み得、プリアンブルＤＬシンボル１０１０−ａはデンスパイロット信号（たとえば、説明したように、使用可能帯域幅中の、ＣＲＳトーンなどの複数の埋込み基準信号トーン）を含み得る。デンスパイロットは、説明したように、ＵＥ５０２における改善されたベースラインチャネル推定を可能にするために、ＤＬバースト１００５−ａの最初に送られ得る。タイムライン１０００は、第２のＤＬバースト１００５−ｂをも含み得、これは、場合によっては、ＵＥ５０２への前のシグナリングなしに（たとえば、設定可能ＴＴＩがダウンリンク通信に切り替えられるという明示的指示なしに）送られ得る。ＤＬバースト１００５−ｂは、ＤＬバースト１００５−ａと同様に、プリアンブルＤＬシンボル１０１０−ｂと通常パイロットシンボル１０１５−ｂとを含み得る。タイムライン１０００は、ＵＬバースト４２０−ａとＵＬバースト４２０−ｂとをも含み得、これらは、ＵＥ（たとえば、ＵＥ５０２）が、ＵＥに与えられたアップリンクリソース許可に基づいてアップリンク信号５０８をｅＮＢ５０４に送信することに関係することができる。ＤＬバースト４０５−ｂはＵＬバースト（たとえば、ＵＬバースト４２０−ａ）の後に受信され得るか、または、それはＤＬバースト４０５−ａの直後に受信され得る（図示せず）。
【００９０】
[0099]受信の順序に関係なく、ＵＥ５０２（たとえば、ダウンリンク／アップリンク切替え検出コンポーネント５１２）は、（たとえば、基準信号の前の構成または観測に基づいて）それのパイロットシーケンスが知られているパイロット信号（たとえば、基準信号）の検出に少なくとも部分的に基づいて、ＴＴＩがアップリンク通信のために設定されるのか、ダウンリンク通信のために設定されるのかを決定し得る。たとえば、プリアンブルＤＬシンボル１０１０−ａはＣＲＳを含み得、ＣＲＳの存在は、ＤＬバースト１００５−ａがＤＬバーストであることをＵＥ５０２に示し得る。いくつかの例では、ＵＥ５０２（たとえば、ダウンリンク／アップリンク切替え検出コンポーネント５１２）は、知られている物理レイヤチャネル（たとえば、ＰＤＣＣＨ、ＰＣＦＩＣＨなど）を復号することによって、ＤＬバースト１０１０−ａのブラインド検出を確認し得る。ＵＬバースト１０２０−ａは、それのパイロットシーケンスが知られている基準信号（たとえば、ＣＲＳ）を含まないことがある。したがって、ＵＥ５０２は、（たとえば、パイロットシーケンスの不在に基づいて）基準信号の不在を検出し、ＵＬバースト１０２０−ａがＵＬバーストである（したがって、関係するＴＴＩがアップリンクＴＴＩである）と決定し得る。
【００９１】
[00100]図１１に、本明細書で説明するように、ＴＴＩが、動的ＴＤＤフレーム構造（たとえば、図４中のフレーム構造４００）中のアップリンク通信のために設定されるのか、ダウンリンク通信のために設定されるのかのブラインド検出のための、通常ＤＬシンボル１１１５−ｃの拡大図を含むＤＬバーストパイロットパターン１１００の一例を示す。ＤＬバースト１１０５−ｃは、上記で説明したように、ＵＥ５０２とｅＮＢ５０４との間の通信のために使用され得、図１０を参照しながら説明したように、ＤＬバースト１００５−ａおよびＤＬバースト１００５−ｂの一態様であり得る。
【００９２】
[00101]ＤＬバーストパイロットパターン１１００は、パイロットトーン１１２５の例示的なロケーションを表すＤＬバースト１１０５−ｃの時間および周波数リソース要素の一例を含み得る。たとえば、第１のアンテナのためのパイロットトーンは、各ＴＴＩ（たとえば、シンボル）中に一定の間隔で離間したトーン上で（この例では２５個のトーンごとに）送信され得、ここで、パイロットトーンのインデックス（オフセット）は、シンボルごとに一定の量（この例では３つのトーン）だけシフトされ得る。パターンはＮ個のシンボルごとに繰り返され得、ここで、Ｎは正の整数（たとえば、この例では２５個のシンボル）である。異なる送信アンテナのためのパイロットは、異なるトーンロケーション上で送信され得る。ＤＬバーストパイロットパターン１１０２は、ＤＬバースト１１０５におけるパイロット送信のための１つの可能なパターンを表すが、他のパイロットパターンも使用され得る。
【００９３】
[00102]一例では、ＵＥ５０２は、（たとえば、ＤＬバーストパイロットパターン１１００の一部としての）パイロット送信について、ｅＮＢ５０４からのワイヤレスチャネルを監視し得る。場合によっては、ＵＥ５０２（たとえば、基準信号監視コンポーネント５１４）は、パイロットシーケンスを検出し得、（たとえば、ダウンリンク／アップリンク切替え検出コンポーネント５１２によって）送信がＤＬ送信（たとえば、ＤＬバースト１１０５−ｃ）であり、したがって、対応するＴＴＩがダウンリンク通信のために設定されると決定し得る。ダウンリンク／アップリンク切替え検出コンポーネント５１２はまた、（たとえば、パイロットシーケンスに対応する基準信号に基づいて）ＴＴＩ中または後続のＴＴＩ中に知られている物理レイヤＤＬチャネルを復号することによって、ＴＴＩがダウンリンク通信のために設定されることを検証し得る。別の例では、ダウンリンク／アップリンク切替え検出コンポーネント５１２は、ＴＴＩの間にワイヤレスチャネル上のパイロットシーケンスの不在を識別し得、ＴＴＩがダウンリンク通信のために設定されない（たとえば、ＴＴＩがアップリンク通信のために設定される）と決定し得る。
【００９４】
[00103]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９５】
[00104]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本明細書で説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2019071669.tif 000003
【図２】
2019071669.tif 000004
【図３】
2019071669.tif 000005
【図４】
2019071669.tif 000006
【図５】
2019071669.tif 000007
【図６】
2019071669.tif 000008
【図７】
2019071669.tif 000009
【図８】
2019071669.tif 000010
【図９】
2019071669.tif 000011
【図１０】
2019071669.tif 000012
【図１１】
2019071669.tif 000013
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて動的アップリンクおよびダウンリンク送信時間間隔（ＴＴＩ）切替えを使用して通信するための方法であって、
ダウンリンク通信のために設定されたＴＴＩにおいて、アップリンクリソース許可をネットワークエンティティから受信することと、
前記アップリンクリソース許可を受信することに少なくとも部分的に基づいて、ダウンリンク通信からアップリンク通信への設定可能ＴＴＩの切替えを決定することと、ここにおいて、前記設定可能ＴＴＩが、前記アップリンクリソース許可が受信された前記ＴＴＩに時間的に後続し、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記アップリンクリソース許可を受信することに少なくとも部分的に基づいて、前記設定可能ＴＴＩの間にアップリンク通信を前記ネットワークエンティティに送信することと
を備える、方法。
【請求項２】
送信することは、前記設定可能ＴＴＩ中に制御データを前記ネットワークエンティティに送信することを備える、請求項１に記載の方法。
【請求項３】
前記制御データが、１つまたは複数の肯定応答または否定応答インジケータ、チャネル状態情報報告、またはスケジューリング要求を含む、請求項２に記載の方法。
【請求項４】
前記アップリンクリソース許可に少なくとも部分的に基づいて、前記設定可能ＴＴＩの後のかつアップリンクバーストにおけるアップリンク通信のために設定された１つまたは複数の後続の設定可能ＴＴＩの間に、アップリンク通信を前記ネットワークエンティティに送信することをさらに備える、請求項１に記載の方法。
【請求項５】
前記アップリンクリソース許可が、前記１つまたは複数の後続の設定可能ＴＴＩの後の後続の設定可能ＴＴＩをダウンリンクバーストのためのダウンリンク通信に切り替える前に前記アップリンクバーストの長さを示す、請求項４に記載の方法。
【請求項６】
ダウンリンク通信のために設定された前のＴＴＩ中のビットを前記ネットワークエンティティから受信することをさらに備え、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項１に記載の方法。
【請求項７】
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定することをさらに備え、ここにおいて、前記バースト長が、前記アップリンクリソース許可において指定される、請求項１に記載の方法。
【請求項８】
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
をさらに備える、請求項１に記載の方法。
【請求項９】
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
をさらに備える、請求項１に記載の方法。
【請求項１０】
ワイヤレスネットワークにおいて動的アップリンクおよびダウンリンク送信時間間隔（ＴＴＩ）切替えを使用して通信するためのユーザ機器であって、
トランシーバと、
前記ワイヤレスネットワークにおいて信号を通信するためにバスを介して前記トランシーバに通信可能に結合された少なくとも１つのプロセッサと、
前記バスを介して前記少なくとも１つのプロセッサおよび／または前記トランシーバに通信可能に結合されたメモリと
を備え、
ここにおいて、前記少なくとも１つのプロセッサおよび前記メモリは、
前記トランシーバを介して、およびダウンリンク通信のために設定されたＴＴＩにおいて、アップリンクリソース許可をネットワークエンティティから受信することと、
前記アップリンクリソース許可を受信することに少なくとも部分的に基づいて、ダウンリンク通信からアップリンク通信への設定可能ＴＴＩの切替えを決定することと、ここにおいて、前記設定可能ＴＴＩが、前記アップリンクリソース許可が受信された前記ＴＴＩに時間的に後続し、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記トランシーバを介して、および前記アップリンクリソース許可を受信することに少なくとも部分的に基づいて、前記設定可能ＴＴＩの間にアップリンク通信を前記ネットワークエンティティに送信することと
を行うように動作可能である、ユーザ機器。
【請求項１１】
前記アップリンク通信が、前記設定可能ＴＴＩ中に前記ネットワークエンティティに送信された制御データに対応する、請求項１０に記載のユーザ機器。
【請求項１２】
前記制御データが、１つまたは複数の肯定応答または否定応答インジケータ、チャネル状態情報報告、またはスケジューリング要求を含む、請求項１１に記載のユーザ機器。
【請求項１３】
前記少なくとも１つのプロセッサおよび前記メモリが、前記アップリンクリソース許可に少なくとも部分的に基づいて、前記設定可能ＴＴＩの後のかつアップリンクバーストにおけるアップリンク通信のために設定された１つまたは複数の後続の設定可能ＴＴＩの間に、アップリンク通信を前記ネットワークエンティティに送信するようにさらに動作可能である、請求項１０に記載のユーザ機器。
【請求項１４】
前記アップリンクリソース許可が、前記１つまたは複数の後続の設定可能ＴＴＩの後の後続の設定可能ＴＴＩをダウンリンクバーストのためのダウンリンク通信に切り替える前に前記アップリンクバーストの長さを示す、請求項１３に記載のユーザ機器。
【請求項１５】
前記少なくとも１つのプロセッサが、ダウンリンク通信のために設定された前のＴＴＩ中のビットを受信するようにさらに構成され、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項１０に記載のユーザ機器。
【請求項１６】
前記少なくとも１つのプロセッサおよび前記メモリが、前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するようにさらに動作可能であり、ここにおいて、前記バースト長が、前記アップリンクリソース許可において指定される、請求項１０に記載のユーザ機器。
【請求項１７】
前記少なくとも１つのプロセッサおよび前記メモリは、
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
を行うようにさらに動作可能である、請求項１０に記載のユーザ機器。
【請求項１８】
前記少なくとも１つのプロセッサおよび前記メモリが、
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
を行うようにさらに動作可能である、請求項１０に記載のユーザ機器。
【請求項１９】
ワイヤレスネットワークにおいて動的アップリンクおよびダウンリンク送信時間間隔（ＴＴＩ）切替えを使用して通信するためのユーザ機器であって、
ダウンリンク通信のために設定されたＴＴＩにおいて、アップリンクリソース許可をネットワークエンティティから受信するための手段と、
前記アップリンクリソース許可を受信することに少なくとも部分的に基づいて、ダウンリンク通信からアップリンク通信への設定可能ＴＴＩの切替えを決定するための手段と、ここにおいて、前記設定可能ＴＴＩが、前記アップリンクリソース許可が受信された前記ＴＴＩに時間的に後続し、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記アップリンクリソース許可を受信することに少なくとも部分的に基づいて、前記設定可能ＴＴＩの間にアップリンク通信を前記ネットワークエンティティに送信するための手段と
を備える、ユーザ機器。
【請求項２０】
送信するための前記手段が、前記設定可能ＴＴＩ中に前記アップリンク通信を制御データとして前記ネットワークエンティティに送信する、請求項１９に記載のユーザ機器。
【請求項２１】
ワイヤレスネットワークにおいて動的アップリンクおよびダウンリンク送信時間間隔（ＴＴＩ）切替えを使用して通信するためのコンピュータ実行可能コードを備える、非一時的コンピュータ可読記憶媒体であって、前記コードは、
ダウンリンク通信のために設定されたＴＴＩにおいて、アップリンクリソース許可をネットワークエンティティから受信するためのコードと、
前記アップリンクリソース許可を受信することに少なくとも部分的に基づいて、ダウンリンク通信からアップリンク通信への設定可能ＴＴＩの切替えを決定するためのコードと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記アップリンクリソース許可を受信することに少なくとも部分的に基づいて、前記設定可能ＴＴＩの間にアップリンク通信を前記ネットワークエンティティに送信するためのコードと
を備える、非一時的コンピュータ可読記憶媒体。
【請求項２２】
送信するための前記コードが、前記設定可能ＴＴＩ中に前記アップリンク通信を制御データとして前記ネットワークエンティティに送信する、請求項２１に記載の非一時的コンピュータ可読記憶媒体。
【請求項２３】
前記アップリンクリソース許可に少なくとも部分的に基づいて、前記設定可能ＴＴＩの後のかつアップリンクバーストにおけるアップリンク通信のために設定された１つまたは複数の後続の設定可能ＴＴＩの間に、アップリンク通信を前記ネットワークエンティティに送信するための手段をさらに備える、請求項１９に記載のユーザ機器。
【請求項２４】
前記アップリンクリソース許可が、前記１つまたは複数の後続の設定可能ＴＴＩの後の後続の設定可能ＴＴＩをダウンリンクバーストのためのダウンリンク通信に切り替える前に前記アップリンクバーストの長さを示す、請求項２３に記載のユーザ機器。
【請求項２５】
ダウンリンク通信のために設定された前のＴＴＩ中のビットを前記ネットワークエンティティから受信するための手段をさらに備え、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項１９に記載のユーザ機器。
【請求項２６】
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するための手段をさらに備え、ここにおいて、前記バースト長が、前記アップリンクリソース許可において指定される、請求項１９に記載のユーザ機器。
【請求項２７】
前記アップリンクリソース許可に少なくとも部分的に基づいて、前記設定可能ＴＴＩの後のかつアップリンクバーストにおけるアップリンク通信のために設定された１つまたは複数の後続の設定可能ＴＴＩの間に、アップリンク通信を前記ネットワークエンティティに送信するためのコードをさらに備える、請求項２１に記載の非一時的コンピュータ可読記憶媒体。
【請求項２８】
前記アップリンクリソース許可が、前記１つまたは複数の後続の設定可能ＴＴＩの後の後続の設定可能ＴＴＩをダウンリンクバーストのためのダウンリンク通信に切り替える前に前記アップリンクバーストの長さを示す、請求項２７に記載の非一時的コンピュータ可読記憶媒体。
【請求項２９】
ダウンリンク通信のために設定された前のＴＴＩ中のビットを前記ネットワークエンティティから受信するためのコードをさらに備え、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、請求項２１に記載の非一時的コンピュータ可読記憶媒体。
【請求項３０】
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するための手段をさらに備え、ここにおいて、前記バースト長が、前記アップリンクリソース許可において指定される、請求項２１に記載の非一時的コンピュータ可読記憶媒体。
【手続補正２】
【補正対象書類名】明細書
【補正対象項目名】００９５
【補正方法】変更
【補正の内容】
【００９５】
[00104]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本明細書で説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ワイヤレスネットワークにおいて動的アップリンクおよびダウンリンク送信時間間隔（ＴＴＩ）切替えを使用して通信するための方法であって、
設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信することと
を備える、方法。
［Ｃ２］
送信することは、前記設定可能ＴＴＩ中に制御データを前記ネットワークエンティティに送信することを備える、Ｃ１に記載の方法。
［Ｃ３］
前記制御データが、１つまたは複数の肯定応答または否定応答インジケータ、チャネル状態情報報告、またはスケジューリング要求を含む、Ｃ２に記載の方法。
［Ｃ４］
前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信することをさらに備える、Ｃ１に記載の方法。
［Ｃ５］
前記通知が、後続の設定可能ＴＴＩをダウンリンクバーストのためのダウンリンク通信に切り替える前に前記アップリンクバーストの長さを示すアップリンクリソース許可を含む、Ｃ４に記載の方法。
［Ｃ６］
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、Ｃ１に記載の方法。
［Ｃ７］
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
をさらに備える、Ｃ１に記載の方法。
［Ｃ８］
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定することをさらに備え、ここにおいて、前記バースト長が、前記設定可能ＴＴＩに関係するアップリンクリソース許可において指定される、Ｃ１に記載の方法。
［Ｃ９］
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
をさらに備える、Ｃ１に記載の方法。
［Ｃ１０］
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
をさらに備える、Ｃ１に記載の方法。
［Ｃ１１］
前記通知を受信することは、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
を備える、Ｃ１に記載の方法。
［Ｃ１２］
前記設定可能ＴＴＩが前記１つまたは複数の基準信号を含まないことを検出することは、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を備える、Ｃ１１に記載の方法。
［Ｃ１３］
前記前の設定可能ＴＴＩがダウンリンク通信のために設定されると決定することは、前記前の設定可能ＴＴＩ中に受信された１つまたは複数の信号から物理レイヤチャネルを復号することをさらに含む、Ｃ１１に記載の方法。
［Ｃ１４］
ワイヤレスネットワークにおいて動的アップリンクおよびダウンリンク送信時間間隔（ＴＴＩ）切替えを使用して通信するためのユーザ機器であって、
トランシーバと、
前記ワイヤレスネットワークにおいて信号を通信するためにバスを介して前記トランシーバに通信可能に結合された少なくとも１つのプロセッサと、
前記バスを介して前記少なくとも１つのプロセッサおよび／または前記トランシーバに通信可能に結合されたメモリと
を備え、
ここにおいて、前記少なくとも１つのプロセッサおよび前記メモリは、
前記トランシーバを介して、設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記トランシーバを介して、前記通知に少なくとも部分的に基づいて、前記設定可能ＴＴＩの間にアップリンク通信を前記ネットワークエンティティに送信することと
を行うように動作可能である、ユーザ機器。
［Ｃ１５］
前記アップリンク通信が、前記設定可能ＴＴＩ中に前記ネットワークエンティティに送信された制御データに対応する、Ｃ１４に記載のユーザ機器。
［Ｃ１６］
前記制御データが、１つまたは複数の肯定応答または否定応答インジケータ、チャネル状態情報報告、またはスケジューリング要求を含む、Ｃ１５に記載のユーザ機器。
［Ｃ１７］
前記少なくとも１つのプロセッサおよび前記メモリが、前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信するようにさらに動作可能である、Ｃ１４に記載のユーザ機器。
［Ｃ１８］
前記通知が、後続の設定可能ＴＴＩをダウンリンクバーストのためのダウンリンク通信に切り替える前に前記アップリンクバーストの長さを示すアップリンクリソース許可を含む、Ｃ１７に記載のユーザ機器。
［Ｃ１９］
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、Ｃ１４に記載のユーザ機器。
［Ｃ２０］
前記少なくとも１つのプロセッサおよび前記メモリが、
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
を行うようにさらに動作可能である、Ｃ１４に記載のユーザ機器。
［Ｃ２１］
前記少なくとも１つのプロセッサおよび前記メモリが、前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するようにさらに動作可能であり、ここにおいて、前記バースト長が、前記設定可能ＴＴＩに関係するアップリンクリソース許可において指定される、Ｃ１４に記載のユーザ機器。
［Ｃ２２］
前記少なくとも１つのプロセッサおよび前記メモリは、
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
を行うようにさらに動作可能である、Ｃ１４に記載のユーザ機器。
［Ｃ２３］
前記少なくとも１つのプロセッサおよび前記メモリが、
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
を行うようにさらに動作可能である、Ｃ１４に記載のユーザ機器。
［Ｃ２４］
前記少なくとも１つのプロセッサおよび前記メモリは、少なくとも部分的に、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
によって前記通知を受信するように動作可能である、Ｃ１４に記載のユーザ機器。
［Ｃ２５］
前記少なくとも１つのプロセッサおよび前記メモリは、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
によって、前記設定可能ＴＴＩが前記１つまたは複数の基準信号を含まないことを検出するように動作可能である、Ｃ２４に記載のユーザ機器。
［Ｃ２６］
前記少なくとも１つのプロセッサおよび前記メモリは、少なくとも部分的に、前記前の設定可能ＴＴＩ中に受信された１つまたは複数の信号から物理レイヤチャネルを復号することによって、前記前の設定可能ＴＴＩがダウンリンク通信のために設定されると決定するようにさらに動作可能である、Ｃ２４に記載のユーザ機器。
［Ｃ２７］
ワイヤレスネットワークにおいて動的アップリンクおよびダウンリンク送信時間間隔（ＴＴＩ）切替えを使用して通信するためのユーザ機器であって、
設定可能ＴＴＩをダウンリンク通信からアップリンク通信に切り替えることの通知をネットワークエンティティから受信するための手段と、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するための手段と
を備える、ユーザ機器。
［Ｃ２８］
送信するための前記手段が、前記設定可能ＴＴＩ中に前記アップリンク通信を制御データとして前記ネットワークエンティティに送信する、Ｃ２７に記載のユーザ機器。
［Ｃ２９］
ワイヤレスネットワークにおいて動的アップリンクおよびダウンリンク送信時間間隔（ＴＴＩ）切替えを使用して通信するためのコンピュータ実行可能コードを備える、コンピュータ可読記憶媒体であって、前記コードは、
設定可能ＴＴＩをダウンリンク通信からアップリンク通信に切り替えることの通知をネットワークエンティティから受信するためのコードと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するためのコードと
を備える、コンピュータ可読記憶媒体。
［Ｃ３０］
送信するための前記コードが、前記設定可能ＴＴＩ中に前記アップリンク通信を制御データとして前記ネットワークエンティティに送信する、Ｃ２９に記載のコンピュータ可読記憶媒体。